(57)【要約】  基地局は、無線品質の測定結果を含む測定報告を送信させるための報告条件を各移動局に通知する。報告条件には、第１の報告条件と、無線品質の測定結果に付加するオフセット値が第１の報告条件よりも大きく、報告条件を満たしてから測定報告を送信するまでの保護時間が第１の報告条件よりも短い第２の報告条件とを含む。基地局は、測定報告に基づき第２の報告条件を満たすことで測定報告を送信した移動局を無線品質が予め設定された所定の期間内に所定値よりも低下する、ハンドオーバが必要な移動局として検出する。
2015079729.tif 000002
【特許請求の範囲】
【請求項１】
自局が管理するセルを介して移動局と無線通信を行う、複数の基地局を備えた無線通信システムであって、
前記基地局は、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される前記測定報告に基づいて前記無線品質が予め設定された所定の期間内に所定値よりも低下する、ハンドオーバが必要な移動局を検出し、該移動局のハンドオーバ処理を実施するハンドオーバ処理部と、
を備え、
前記測定報告設定部は、
前記報告条件として、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを前記移動局に通知し、
前記ハンドオーバ処理部は、
前記第２の報告条件を満たすことで測定報告を送信した移動局を、前記ハンドオーバが必要な移動局として検出する無線通信システム。
【請求項２】
自局が管理するセルを介して移動局と無線通信を行う、複数の基地局を備えた無線通信システムであって、
前記基地局は、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される前記測定報告に基づいて前記無線品質が予め設定された所定の期間内に所定値よりも低下する、ハンドオーバが必要な移動局を検出し、該移動局のハンドオーバ処理を実施するハンドオーバ処理部と、
を備え、
前記測定報告設定部は、
前記移動局から前記測定報告が送信されると、該移動局における報告条件を前記無線品質の測定結果を周期的に送信させる周期報告条件に変更し、
前記ハンドオーバ処理部は、
前記移動局から送信される複数の測定報告から前記無線品質の劣化量を求め、該劣化量が予め設定された所定値よりも大きい場合、前記ハンドオーバが必要な移動局として検出する無線通信システム。
【請求項３】
自局が管理するセルを介して移動局と無線通信を行う複数の基地局と、
前記複数の基地局を管理するネットワーク管理装置と、
を有し、
前記基地局は、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を前記ネットワーク管理装置へ通知する通信品質記憶部と、
を備え、
前記測定報告設定部は、
前記報告条件として、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを前記移動局に通知し、
前記ネットワーク管理装置は、
前記基地局から通知された、前記第１の報告条件及び前記第２の報告条件を満たすことで送信された総測定報告数に対する前記第２の報告条件を満たすことで送信された測定報告数から、前記第２の報告条件を満たすことで送信される測定報告の発生確率を求め、該発生確率が予め設定された検出閾値を超える場合、前記無線品質が予め設定された所定の期間内に所定値よりも低下する、前記セルと前記隣接セルの組み合わせから成るセルペアを検出するセルペア検出部を備える無線通信システム。
【請求項４】
自局が管理するセルを介して移動局と無線通信を行う複数の基地局と、
前記複数の基地局を管理するネットワーク管理装置と、
を有し、
前記基地局は、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を前記ネットワーク管理装置へ通知する通信品質記憶部と、
を備え、
前記ネットワーク管理装置は、
前記基地局から通知された、前記報告条件を満たすことで送信された測定報告の報告回数及び該測定報告で報告された無線品質が予め設定された所要品質よりも低下している回数から、該無線品質が前記所要品質よりも低下する確率を求め、該確率が予め設定された検出閾値を超える場合、前記無線品質が予め設定された所定の期間内に所定値よりも低下する、前記セルと前記隣接セルの組み合わせから成るセルペアを検出するセルペア検出部を備える無線通信システム。
【請求項５】
前記ネットワーク管理装置は、
前記検出したセルペアのうち、少なくとも一方のセルを管理する基地局の送信電力、アンテナのチルト角または前記移動局と前記基地局間の無線リンクで障害が発生したか否かの判定に用いる判定タイマの少なくとも１つの調整を決定する無線パラメータ調整部を有し、
前記基地局は、
前記ネットワーク管理装置の指示にしたがって前記送信電力、前記アンテナのチルト角または前記判定タイマの少なくとも１つを変更する無線パラメータ制御部を有する請求項３または４記載の無線通信システム。
【請求項６】
前記基地局は、
自局が管理するセルと接続中の移動局を特定するための移動局情報を、該移動局のハンドオーバによる接続の切り替え先のセルを管理するターゲット基地局へ所定のタイミングで送信する移動局情報転送部を備える請求項３または４記載の無線通信システム。
【請求項７】
前記所定のタイミングは、
前記ネットワーク管理装置から前記無線品質が予め設定された所定の期間内に所定値よりも低下するセルペアとして通知されたときである請求項６記載の無線通信システム。
【請求項８】
前記所定のタイミングは、
前記ネットワーク管理装置から前記無線品質が予め設定された所定の期間内に所定値よりも低下するセルペアとして通知され、その後、自局に新たな移動局の接続が開始されたときである請求項６記載の無線通信システム。
【請求項９】
前記セルペアは、
一方が屋外に設置された前記基地局が管理する屋外セルであり、他方が屋内に設置された前記基地局が管理する屋内セルである請求項３から８のいずれか１項記載の無線通信システム。
【請求項１０】
前記セルペアは、
互いにセルサイズが異なるセルから成る請求項３から９のいずれか１項記載の無線通信システム。
【請求項１１】
自局が管理するセルを介して移動局と無線通信を行う、無線通信システムが備える基地局であって、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される前記測定報告に基づいて前記無線品質が予め設定された所定の期間内に所定値よりも低下する、ハンドオーバが必要な移動局を検出し、該移動局のハンドオーバ処理を実施するハンドオーバ処理部と、
を有し、
前記測定報告設定部は、
前記報告条件として、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを前記移動局に通知し、
前記ハンドオーバ処理部は、
前記第２の報告条件を満たすことで測定報告を送信した移動局を、前記ハンドオーバが必要な移動局として検出する基地局。
【請求項１２】
自局が管理するセルを介して移動局と無線通信を行う、無線通信システムが備える基地局であって、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される前記測定報告に基づいて前記無線品質が予め設定された所定の期間内に所定値よりも低下する、ハンドオーバが必要な移動局を検出し、該移動局のハンドオーバ処理を実施するハンドオーバ処理部と、
を有し、
前記測定報告設定部は、
前記移動局から前記測定報告が送信されると、該移動局における報告条件を前記無線品質の測定結果を周期的に送信させる周期報告条件に変更し、
前記ハンドオーバ処理部は、
前記移動局から送信される複数の測定報告から前記無線品質の劣化量を求め、該劣化量が予め設定された所定値よりも大きい場合、前記ハンドオーバが必要な移動局として検出する基地局。
【請求項１３】
自局が管理するセルを介して移動局と無線通信を行う、無線通信システムが備える基地局であって、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を、自局を管理する上位装置へ通知する通信品質記憶部と、
前記上位装置からの指示にしたがって、送信電力、アンテナのチルト角または前記移動局との無線リンクで障害が発生したか否かの判定に用いる判定タイマの少なくとも１つを変更する無線パラメータ制御部と、
を有し、
前記測定報告設定部は、
前記報告条件として、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを前記移動局に通知し、
前記通信品質記憶部は、
前記第１の報告条件を満たすことで送信された測定報告数及び前記第２の報告条件を満たすことで送信された測定報告数をそれぞれ前記上位装置へ送信する基地局。
【請求項１４】
自局が管理するセルを介して移動局と無線通信を行う、無線通信システムが備える基地局であって、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を、自局を管理する上位装置へ通知する通信品質記憶部と、
前記上位装置からの指示にしたがって、送信電力、アンテナのチルト角または前記移動局との無線リンクで障害が発生したか否かの判定に用いる判定タイマの少なくとも１つを変更する無線パラメータ制御部と、
を有し、
前記通信品質記憶部は、
前記報告条件を満たすことで送信された測定報告の報告回数及び該測定報告で報告された無線品質が予め設定された所要品質よりも低下している回数をそれぞれ前記上位装置へ送信する基地局。
【請求項１５】
自局が管理するセルを介して移動局と無線通信を行う、無線通信システムが備える基地局であって、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を、自局を管理する上位装置へ通知する通信品質記憶部と、
自局が管理するセルと接続中の移動局を特定するための移動局情報を、該移動局のハンドオーバによる接続の切り替え先のセルを管理するターゲット基地局へ所定のタイミングで送信する移動局情報転送部と、
を有し、
前記測定報告設定部は、
前記報告条件として、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを前記移動局に通知し、
前記通信品質記憶部は、
前記第１の報告条件を満たすことで送信された測定報告数及び前記第２の報告条件を満たすことで送信された測定報告数をそれぞれ前記上位装置へ送信する基地局。
【請求項１６】
自局が管理するセルを介して移動局と無線通信を行う、無線通信システムが備える基地局であって、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を、自局を管理する上位装置へ通知する通信品質記憶部と、
自局が管理するセルと接続中の移動局を特定するための移動局情報を、該移動局のハンドオーバによる接続の切り替え先のセルを管理するターゲット基地局へ所定のタイミングで送信する移動局情報転送部と、
を有し、
前記通信品質記憶部は、
前記報告条件を満たすことで送信された測定報告の報告回数及び該測定報告で報告された無線品質が予め設定された所要品質よりも低下している回数をそれぞれ前記上位装置へ送信する基地局。
【請求項１７】
前記所定のタイミングは、
前記上位装置から前記無線品質が予め設定された所定の期間内に所定値よりも低下するセルペアとして通知されたときである請求項１５または１６記載の基地局。
【請求項１８】
前記所定のタイミングは、
前記上位装置から前記無線品質が予め設定された所定の期間内に所定値よりも低下するセルペアとして通知され、その後、自局に新たな移動局の接続が開始されたときである請求項１５または１６記載の基地局。
【請求項１９】
セルを介して移動局と無線通信を行う複数の基地局を管理するネットワーク管理装置であって、
前記移動局と接続中の基地局が管理するセル及び該セルと隣接する隣接セル毎の無線品質の測定結果を含む測定報告を該移動局から前記基地局へ送信させるための第１の報告条件を満たすことで前記基地局から送信された測定報告数及び前記第１の報告条件とは異なる第２の報告条件を満たすことで前記基地局から送信された測定報告数を受信すると、
前記第１の報告条件及び前記第２の報告条件を満たすことで送信された総測定報告数に対する前記第２の報告条件を満たすことで送信された測定報告数から、前記第２の報告条件を満たすことで送信される測定報告の発生確率を求め、該発生確率が予め設定された検出閾値を超える場合、前記無線品質が予め設定された所定の期間内に所定値よりも低下する、前記セルと前記隣接セルの組み合わせから成るセルペアとして検出するセルペア検出部を備え、
前記第２の報告条件が、
前記無線品質の測定結果に付加するオフセット値が前記第１の報告条件よりも大きく、報告条件を満たしてから前記測定報告を送信するまでの時間である保護時間が前記第１の報告条件よりも短い値に設定されたネットワーク管理装置。
【請求項２０】
セルを介して移動局と無線通信を行う複数の基地局を管理するネットワーク管理装置であって、
前記移動局と接続中の基地局が管理するセル及び該セルと隣接する隣接セル毎の無線品質の測定結果を含む測定報告を該移動局から前記基地局へ送信させるための報告条件を満たすことで前記基地局から送信された測定報告数、並びに該測定報告で報告された無線品質が予め設定された所要品質よりも低下している回数を前記基地局から受信すると、
前記測定報告の報告回数及び前記無線品質が予め設定された所要品質よりも低下している回数から、該無線品質が前記所要品質よりも低下する確率を求め、該確率が予め設定された検出閾値を超える場合、前記無線品質が予め設定された所定の期間内に所定値よりも低下する、前記セルと前記隣接セルの組み合わせから成るセルペアとして検出するセルペア検出部を備えるネットワーク管理装置。
【請求項２１】
前記検出したセルペアのうち、少なくとも一方のセルを管理する基地局の送信電力、アンテナのチルト角または前記移動局と前記基地局間の無線リンクで障害が発生したか否かの判定に用いる判定タイマの少なくとも１つの調整を決定する無線パラメータ調整部を有する請求項１９または２０記載のネットワーク管理装置。
【請求項２２】
自局が管理するセルを介して移動局と無線通信を行う、複数の基地局を備えた無線通信システムによるハンドオーバ制御方法であって、
前記基地局が、
自局と接続中の各移動局に、自局が管理するセル及び該セルと隣接する隣接セル毎の無線品質の測定結果を含む測定報告を送信させるための報告条件を通知し、
前記報告条件が、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを含み、
前記移動局から送信される前記測定報告に基づき、前記第２の報告条件を満たすことで測定報告を送信した移動局を前記無線品質が予め設定された所定の期間内に所定値よりも低下する、ハンドオーバが必要な移動局として検出するハンドオーバ制御方法。
【請求項２３】
自局が管理するセルを介して移動局と無線通信を行う、複数の基地局を備えた無線通信システムによるハンドオーバ制御方法であって、
前記基地局が、
自局と接続中の各移動局に、自局が管理するセル及び該セルと隣接する隣接セル毎の無線品質の測定結果を含む測定報告を送信させるための報告条件を通知し、
前記移動局から前記測定報告が送信されると、該移動局における報告条件を前記無線品質の測定結果を周期的に送信させる周期報告条件に変更し、
前記移動局から送信される前記測定報告に基づき、前記移動局から送信される複数の測定報告から前記無線品質の劣化量を求め、該劣化量が予め設定された所定値よりも大きい場合、前記無線品質が予め設定された所定の期間内に所定値よりも低下する、ハンドオーバが必要な移動局として検出するハンドオーバ制御方法。
【請求項２４】
自局が管理するセルを介して移動局と無線通信を行う複数の基地局と、
前記複数の基地局を管理するネットワーク管理装置と、
を有する無線通信システムによるハンドオーバ制御方法であって、
前記基地局が、
自局と接続中の各移動局に、自局が管理するセル及び該セルと隣接する隣接セル毎の無線品質の測定結果を含む測定報告を送信させるための報告条件を通知し、
前記報告条件は、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを含み、
前記移動局から送信される測定報告を集計し、該集計した統計情報を前記ネットワーク管理装置へ通知し、
前記ネットワーク管理装置が、
前記基地局から通知された、前記第１の報告条件及び前記第２の報告条件を満たすことで送信された総測定報告数に対する前記第２の報告条件を満たすことで送信された測定報告数から、前記第２の報告条件を満たすことで送信される測定報告の発生確率を求め、該発生確率が予め設定された検出閾値を超える場合、前記無線品質が予め設定された所定の期間内に所定値よりも低下する、前記セルと前記隣接セルの組み合わせから成るセルペアを検出するハンドオーバ制御方法。
【請求項２５】
自局が管理するセルを介して移動局と無線通信を行う複数の基地局と、
前記複数の基地局を管理するネットワーク管理装置と、
を有する無線通信システムによるハンドオーバ制御方法であって、
前記基地局が、
自局と接続中の各移動局に、自局が管理するセル及び該セルと隣接する隣接セル毎の無線品質の測定結果を含む測定報告を送信させるための報告条件を通知し、
前記移動局から送信される測定報告を集計し、該集計した統計情報を前記ネットワーク管理装置へ通知し、
前記ネットワーク管理装置が、
前記基地局から通知された、前記報告条件を満たすことで送信された測定報告の報告回数及び該測定報告で報告された無線品質が予め設定された所要品質よりも低下している回数から、該無線品質が前記所要品質よりも低下する確率を求め、該確率が予め設定された検出閾値を超える場合、前記無線品質が予め設定された所定の期間内に所定値よりも低下する、前記セルと前記隣接セルの組み合わせから成るセルペアを検出するハンドオーバ制御方法。
【請求項２６】
前記ネットワーク管理装置が、
前記検出したセルペアのうち、少なくとも一方のセルを管理する基地局の送信電力、アンテナのチルト角または前記移動局と前記基地局間の無線リンクで障害が発生したか否かの判定に用いる判定タイマの少なくとも１つの調整を決定し、
前記基地局が、
前記ネットワーク管理装置の指示にしたがって前記送信電力、前記アンテナのチルト角または前記判定タイマの少なくとも１つを変更する請求項２４または２５記載のハンドオーバ制御方法。
【請求項２７】
前記基地局が、
自局が管理するセルと接続中の移動局を特定するための移動局情報を、該移動局のハンドオーバによる接続の切り替え先のセルを管理するターゲット基地局へ所定のタイミングで送信する請求項２４または２５記載のハンドオーバ制御方法。
【請求項２８】
前記所定のタイミングが、
前記ネットワーク管理装置から前記無線品質が予め設定された所定の期間内に所定値よりも低下するセルペアとして通知されたときである請求項２７記載のハンドオーバ制御方法。
【請求項２９】
前記所定のタイミングが、
前記ネットワーク管理装置から前記無線品質が予め設定された所定の期間内に所定値よりも低下するセルペアとして通知され、その後、自局に新たな移動局の接続が開始されたときである請求項２７記載のハンドオーバ制御方法。
【請求項３０】
コンピュータを、自局が管理するセルを介して移動局と無線通信を行う、無線通信システムが備える基地局として機能させるためのプログラムであって、
前記コンピュータを、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される前記測定報告に基づいて前記無線品質が予め設定された所定の期間内に所定値よりも低下する、ハンドオーバが必要な移動局を検出し、該移動局のハンドオーバ処理を実施するハンドオーバ処理部と、して機能させ、
前記測定報告設定部として、
前記報告条件として、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを前記移動局に通知させ、
前記ハンドオーバ処理部として、
前記第２の報告条件を満たすことで測定報告を送信した移動局を、前記ハンドオーバが必要な移動局として検出させるためのプログラム。
【請求項３１】
コンピュータを、自局が管理するセルを介して移動局と無線通信を行う、無線通信システムが備える基地局として機能させるためのプログラムであって、
前記コンピュータを、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される前記測定報告に基づいて前記無線品質が予め設定された所定の期間内に所定値よりも低下する、ハンドオーバが必要な移動局を検出し、該移動局のハンドオーバ処理を実施するハンドオーバ処理部と、して機能させ、
前記測定報告設定部として、
前記移動局から前記測定報告が送信されると、該移動局における報告条件を前記無線品質の測定結果を周期的に送信させる周期報告条件に変更させ、
前記ハンドオーバ処理部として、
前記移動局から送信される複数の測定報告から前記無線品質の劣化量を求め、該劣化量が予め設定された所定値よりも大きい場合、前記ハンドオーバが必要な移動局として検出させるためのプログラム。
【請求項３２】
コンピュータを、自局が管理するセルを介して移動局と無線通信を行う、無線通信システムが備える基地局として機能させるためのプログラムであって、
前記コンピュータを、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を、自局を管理する上位装置へ通知する通信品質記憶部と、
前記上位装置からの指示にしたがって、送信電力、アンテナのチルト角または前記移動局との無線リンクで障害が発生したか否かの判定に用いる判定タイマの少なくとも１つを変更する無線パラメータ制御部と、して機能させ、
前記測定報告設定部として、
前記報告条件として、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを前記移動局に通知させ、
前記通信品質記憶部として、
前記第１の報告条件を満たすことで送信された測定報告数及び前記第２の報告条件を満たすことで送信された測定報告数をそれぞれ前記上位装置へ送信させるためのプログラム。
【請求項３３】
コンピュータを、自局が管理するセルを介して移動局と無線通信を行う、無線通信システムが備える基地局として機能させるためのプログラムであって、
前記コンピュータを、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を、自局を管理する上位装置へ通知する通信品質記憶部と、
前記上位装置からの指示にしたがって、送信電力、アンテナのチルト角または前記移動局との無線リンクで障害が発生したか否かの判定に用いる判定タイマの少なくとも１つを変更する無線パラメータ制御部と、して機能させ、
前記通信品質記憶部として、
前記報告条件を満たすことで送信された測定報告の報告回数及び該測定報告で報告された無線品質が予め設定された所要品質よりも低下している回数をそれぞれ前記上位装置へ送信させるためのプログラム。
【請求項３４】
コンピュータを、自局が管理するセルを介して移動局と無線通信を行う、無線通信システムが備える基地局として機能させるためのプログラムであって、
前記コンピュータを、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を、自局を管理する上位装置へ通知する通信品質記憶部と、
自局が管理するセルと接続中の移動局を特定するための移動局情報を、該移動局のハンドオーバによる接続の切り替え先のセルを管理するターゲット基地局へ所定のタイミングで送信する移動局情報転送部と、して機能させ、
前記測定報告設定部として、
前記報告条件として、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを前記移動局に通知させ、
前記通信品質記憶部として、
前記第１の報告条件を満たすことで送信された測定報告数及び前記第２の報告条件を満たすことで送信された測定報告数をそれぞれ前記上位装置へ送信させるためのプログラム。
【請求項３５】
コンピュータを、自局が管理するセルを介して移動局と無線通信を行う、無線通信システムが備える基地局として機能させるためのプログラムであって、
前記コンピュータを、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を、自局を管理する上位装置へ通知する通信品質記憶部と、
自局が管理するセルと接続中の移動局を特定するための移動局情報を、該移動局のハンドオーバによる接続の切り替え先のセルを管理するターゲット基地局へ所定のタイミングで送信する移動局情報転送部と、して機能させ、
前記通信品質記憶部として、
前記報告条件を満たすことで送信された測定報告の報告回数及び該測定報告で報告された無線品質が予め設定された所要品質よりも低下している回数をそれぞれ前記上位装置へ送信させるためのプログラム。
【請求項３６】
前記所定のタイミングは、
前記上位装置から前記無線品質が予め設定された所定の期間内に所定値よりも低下するセルペアとして通知されたときである請求項３４または３５記載のプログラム。
【請求項３７】
前記所定のタイミングは、
前記上位装置から前記無線品質が予め設定された所定の期間内に所定値よりも低下するセルペアとして通知され、その後、自局に新たな移動局の接続が開始されたときである請求項３４または３５記載のプログラム。
【請求項３８】
コンピュータを、セルを介して移動局と無線通信を行う複数の基地局を管理するネットワーク管理装置として機能させるためのプログラムであって、
前記コンピュータを、
前記移動局と接続中の基地局が管理するセル及び該セルと隣接する隣接セル毎の無線品質の測定結果を含む測定報告を該移動局から前記基地局へ送信させるための第１の報告条件を満たすことで前記基地局から送信された測定報告数及び前記第１の報告条件とは異なる第２の報告条件を満たすことで前記基地局から送信された測定報告数を受信すると、
前記第１の報告条件及び前記第２の報告条件を満たすことで送信された総測定報告数に対する前記第２の報告条件を満たすことで送信された測定報告数から、前記第２の報告条件を満たすことで送信される測定報告の発生確率を求め、該発生確率が予め設定された検出閾値を超える場合、前記無線品質が予め設定された所定の期間内に所定値よりも低下する、前記セルと前記隣接セルの組み合わせから成るセルペアとして検出するセルペア検出部として機能させ、
前記第２の報告条件が、
前記無線品質の測定結果に付加するオフセット値が前記第１の報告条件よりも大きく、報告条件を満たしてから前記測定報告を送信するまでの時間である保護時間が前記第１の報告条件よりも短い値に設定されたプログラム。
【請求項３９】
コンピュータを、セルを介して移動局と無線通信を行う複数の基地局を管理するネットワーク管理装置として機能させるためのプログラムであって、
前記コンピュータを、
前記移動局と接続中の基地局が管理するセル及び該セルと隣接する隣接セル毎の無線品質の測定結果を含む測定報告を該移動局から前記基地局へ送信させるための報告条件を満たすことで前記基地局から送信された測定報告数、並びに該測定報告で報告された無線品質が予め設定された所要品質よりも低下している回数を前記基地局から受信すると、
前記測定報告の報告回数及び前記無線品質が予め設定された所要品質よりも低下している回数から、該無線品質が前記所要品質よりも低下する確率を求め、該確率が予め設定された検出閾値を超える場合、前記無線品質が予め設定された所定の期間内に所定値よりも低下する、前記セルと前記隣接セルの組み合わせから成るセルペアとして検出するセルペア検出部として機能させるためのプログラム。
【請求項４０】
コンピュータを、
前記検出したセルペアのうち、少なくとも一方のセルを管理する基地局の送信電力、アンテナのチルト角または前記移動局と前記基地局間の無線リンクで障害が発生したか否かの判定に用いる判定タイマの少なくとも１つの調整を決定する無線パラメータ調整部として機能させるための請求項３８または３９記載のプログラム。
【発明の詳細な説明】
【技術分野】
【０００１】
本発明は、無線通信システム、無線通信システムが備える基地局及びネットワーク管理装置、無線通信システムのハンドオーバ制御方法、並びにコンピュータを基地局及びネットワーク管理装置として機能させるためのプログラムに関する。
【背景技術】
【０００２】
３ＧＰＰ（3rd Generation Partnership Project）で標準化されたＷ−ＣＤＭＡ（Wideband-Code Division Multiple Access）やＬＴＥ（Long Term Evolution）、またはＩＥＥＥ（Institute of Electrical and Electronic Engineers）で標準化されたＷｉＭＡＸ（Worldwide Interoperability for Microwave Access）等に代表される無線セルラシステムでは、屋外に設置された基地局が管理するカバレッジの大きい屋外セル（例えばマクロセル）によってモバイルデータトラヒックが収容される。しかしながら、近年、屋内で発生するモバイルデータトラヒックが増大しており、その対策としてカバレッジが比較的小さい屋内セル（例えばフェムトセル）を管理する屋内用の基地局の設置が進められている。したがって、今後、無線セルラシステムでは、従来から設けられている屋外セルと新たに設けられる屋内セルとが混在する通信環境が増大すると考えられる。【０００３】
無線セルラシステムでは各基地局が１つ以上のセルをそれぞれ管理しており、移動局は、自局が在圏するセルと無線接続（正確には、該セルを管理する基地局と接続）することで、該セルを介して上位ネットワークとの通信が可能になる。移動局が接続中のセルから隣接するセルへ移動する際には、ハンドオーバ（Handover：ＨＯ）と呼ばれる接続するセルの切り替え処理が実行される。ここで、接続中のセルはソースセルと呼ばれ、ハンドオーバによる接続の切り替え先のセルはターゲットセルと呼ばれる。【０００４】
上記ＬＴＥでは、ハンドオーバを実現するため、ソースセルを管理するソース基地局が、所定のイベントが発生した場合に測定報告を送信するよう接続中の各移動局に対して指示する。所定のイベントとは、例えばソースセルの無線品質よりも該ソースセルと隣接するセル（以下、隣接セルと称す）の無線品質が良好となる場合である。セルの無線品質の判定には、移動局が測定する下りリファレンス信号の受信電力（ＲＳＲＰ：Reference Signal Received Power）や下りリファレンス信号の受信品質（ＲＳＲＱ：Reference Signal Received Quality）が用いられる。【０００５】
移動局で生成する測定報告には、ソースセル及びその隣接セル毎に測定された無線品質の測定結果が含まれる。ソース基地局は、移動局から測定報告を受信すると、該測定報告に基づいてターゲットセルを決定する。そして、該ターゲットセルを管理するターゲット基地局及び移動局との間で所要の制御情報を送受信するシグナリングを含むハンドオーバ処理を実行する。多くの場合、ターゲットセルは隣接セルから選択される。【０００６】
以下、３ＧＰＰ技術仕様書（非特許文献１）で規定された、ＬＴＥにおける測定報告の送信契機となる報告条件の一例について説明する。【０００７】
当該技術仕様書では、測定報告の送信契機の１つとしてイベントＡ３（Neighbor becomes offset better than serving）が規定されている。イベントＡ３では測定報告の報告条件が以下の式（１）で定義されている。【０００８】
Ｍｎ＋Ｏｆｎ＋Ｏｃｎ−Ｈｙｓ＞Ｍｐ＋Ｏｆｐ＋Ｏｃｐ＋Ｏｆｆ…（１)
式（１）は、隣接セルの無線品質（左辺）がソースセルの無線品質（右辺）よりも良好であることを意味する。式（１）のＭｎは移動局が測定した隣接セルの無線品質であり、Ｍｐはソースセルの無線品質である。Ｏｆｎは隣接セルの周波数帯のオフセット（offsetFreq）であり、Ｏｆｐはソースセルの周波数帯のオフセットである。Ｏｃｎは隣接セルのセル固有オフセットであり、Ｏｃｐはソースセルのセル固有オフセットである。Ｈｙｓは、無線品質に付加する、イベントＡ３の報告条件で用いるヒステリシスパラメータであり、Ｏｆｆは、無線品質に付加する、イベントＡ３の報告条件で用いるオフセットパラメータである。【０００９】
なお、上記Ｏｃｎ及びＯｃｐは、ソースセルとその隣接セルとのセルペア毎に設定される。したがって、隣接セルが複数存在する場合、ソース基地局は隣接セル毎にＯｃｎ及びＯｃｐを設定する。また、ソース基地局はＯｃｎ及びＯｃｐから下記式（２）で算出されるセル個別オフセット（ＣＩＯ：Cell Individual Offset）をセルペア毎に管理する。ＣＩＯが大きいほど、Ｏｃｐに対してＯｃｎが相対的に大きな値となるため、ソースセルから隣接セルへのハンドオーバが促進される。【００１０】
ＣＩＯ＝Ｏｃｎ−Ｏｃｐ…（２）
ソース基地局は、上記式（１）で示す報告条件を決定すると、自局に接続された各移動局に対して決定した報告条件をそれぞれ通知する。各移動局へ通知する報告条件には、該報告条件の種類（イベントの種類）や使用するパラメータの値が含まれる。【００１１】
移動局は、ソースセル及び隣接セルの無線品質の測定結果が上記式（１）の報告条件を満たし、かつ該報告条件を満たす状態が予め設定された所定期間ＴＴＴ（Time to Trigger）以上継続する場合にソース基地局へ測定報告を送信する。ＴＴＴは保護時間（guard time）とも呼ばれる。【００１２】
ソース基地局は、移動局から測定報告を受信すると、該測定報告に基づいてハンドオーバ先のターゲットセルを決定し、該セルを管理するターゲット基地局にハンドオーバを要求する（Handover Request）。ハンドオーバを要求する際、ソース基地局はハンドオーバ対象となる移動局を特定するための移動局情報をターゲット基地局へ送信する。移動局情報は、ＬＴＥではUE contextと呼ばれ、ハンドオーバ時にソースセルとターゲットセルを管理する基地局間で移動局を特定するために用いられる情報である。【００１３】
移動局情報としては、例えば非特許文献１に記載されたAS-Config及び非特許文献２に記載されたUE history informationがある。AS-Configは、移動局のＩＤ（identification data）やソースセルのシステム設定情報等を含む。UE history informationは、移動局の通信履歴に関する情報であり、移動局が最後に接続したセルのＩＤや滞在時間等が含まれる。【００１４】
ところで、上述したハンドオーバは、無線品質の劣化を検出してから必要な処理を開始する後追い処理であるため、無線品質が急激に変化すると、処理が追いつかずに失敗する可能性がある。ハンドオーバが失敗すると、移動局は無線品質が劣化したソースセルとの通信を継続する。そのため、移動局が他のセルと接続する前にソースセルの無線品質が通信可能な品質よりも低下すると、該移動局では通信が不能になる期間（瞬断）が発生する。【００１５】
このようなハンドオーバ失敗を低減する方法としては、上記ＣＩＯやＴＴＴ等のハンドオーバ・パラメータを動的に調整する方法が知られている。【００１６】
ＬＴＥでは、ハンドオーバ失敗として、Too Late Handover、Too Early Handover、Handover to Wrong Cell、Ping-Pong Handoverが規定されている。Too Late Handoverはターゲットセルに対するハンドオーバのタイミングが遅すぎて失敗する場合であり、Too Early Handoverはターゲットセルに対するハンドオーバのタイミングが早すぎて失敗する場合である。Handover to Wrong Cellは、無線品質が良好と判断してターゲットセルに接続し、接続後に該ターゲットセルの無線品質が劣化してハンドオーバを失敗する場合である。Ping-Pong Handoverとは、ソースセルが同一の隣接セルとの間で短期間にハンドオーバを頻繁に繰り返す場合である。【００１７】
上述したように、移動局は、例えば式（１）の報告条件を満たす状態が予め設定された保護時間ＴＴＴ以上継続した場合に測定報告を送信する。すなわち、ＴＴＴとして大きな値を設定すれば、ハンドオーバの開始タイミングが遅くなるため、ハンドオーバが発生し難くなる。【００１８】
上述した移動局の測定報告に基づいてハンドオーバ・パラメータ（ＴＴＴ，ＣＩＯ等）を調整することでハンドオーバ失敗（Too Late Handover，Too Early Handover）を低減する方法は、例えば特許文献１に開示されている。特許文献１では、Too Late Handoverを低減する場合はＣＩＯの値を大きくすることでハンドオーバのタイミングを早めている。また、ＣＩＯを予め設定された上限値まで大きくしてもハンドオーバ失敗が解消されない場合は、ＴＴＴを小さな値に変更してハンドオーバの開始タイミングを早めることでハンドオーバ失敗を低減している。【００１９】
図１は、ハンドオーバ・パラメータ（ＣＩＯ）を調整することでハンドオーバ失敗が低減する理由を模式的に示すグラフである。図１（ａ）及び（ｂ）に示すＲＳＲＰ及びＲＳＲＱの特性は同一である。【００２０】
図１（ａ）は、ハンドオーバ処理の開始が遅すぎるためにハンドオーバ失敗が発生する様子を示している。図１（ａ）では、ソースセルの無線品質（ＲＳＲＰ）が低下して上記式（１）の報告条件を満たし、その後、ＴＴＴが経過する前にソースセルの無線品質（ＲＳＲＱ）が予め設定された所定の閾値（所要品質）よりも低下して無線リンク障害（ＲＬＦ：Radio Link Failure）が発生している。【００２１】
このような場合、隣接セルの無線品質（ＲＳＲＰ）に設定するＣＩＯの値を大きくすれば、図１（ｂ）で示すように式（１）の報告条件を満たすタイミングを早めることができるため、ＲＬＦの発生を抑制できる。【００２２】
上述したように、無線セルラシステムでは、従来から設けられている屋外セルと新たに設けられる屋内セルとが混在する通信環境が増大すると考えられる。このような屋外セルと屋内セルとが混在する通信環境では、移動局が屋外と屋内との間で移動した場合に当該移動局における無線品質が急激に変化するため、上述したハンドオーバ・パラメータを調整するだけではハンドオーバ失敗を低減できない場合がある。【００２３】
この背景技術の課題について図２を用いて説明する。以下では、屋外セルと屋内セルとが混在する通信環境において、屋外セルがソースセルであり、屋内セルがターゲットセルの例で説明する。【００２４】
図２は、屋外セルから屋内セルへ移動する移動局の無線品質（ＲＳＲＰ，ＲＳＲＱ）の変化の様子を模式的に示すグラフである。【００２５】
移動局が屋外から屋内へ移動すると、屋外と屋内とは建物の壁等で仕切られているため、図２に示すように、ソースセル（屋外セル）のＲＳＲＰは電波が壁等に侵入する際の侵入損（Penetration loss）によって急激に劣化する。一方、ソースセル（屋外セル）のＲＳＲＱも上記侵入損に加えてターゲットセル（屋内セル）からの干渉波が大きくなることで急激に劣化する。なお、「急激な劣化」とは、無線品質が予め設定された所定の期間内に所定値よりも低下することであり、例えば数百ミリ秒程度以内にＲＳＲＰやＲＳＲＱが１０ｄＢ以上低下することを指す。【００２６】
通常、ＬＴＥにおいてハンドオーバに要する時間（式（１）の報告条件を満たして移動局が測定報告を基地局へ送信し、該移動局が接続先をソースセルからターゲットセルへ切り替えるまでの期間）は数百ミリ秒程度である。また、３ＧＰＰでは、上記侵入損の指標として１０ｄＢあるいは２０ｄＢの値が用いられる。【００２７】
一方、上述したハンドオーバ・パラメータを調整する背景技術では、一般的にＣＩＯの調整上限値を６ｄＢ程度に設定している。その理由は、ＣＩＯの調整上限値を６ｄＢ以上に設定すると、移動局が通信可能な無線品質（所要品質）を満たさないセルと接続する可能性があるからである。移動局が所要品質を満たさないセルと接続すると、該移動局はセルとのシグナリングが困難になり、上りリンクの同期はずれが起きてＲＬＦが発生してしまう。【００２８】
すなわち、移動局が屋外セルから屋内セルへ移動した場合、ＣＩＯを調整上限値まで変更しても、該調整上限値よりも侵入損の方が大きいため、ＲＬＦが発生してハンドオーバ失敗（Too Late Handover）が発生してしまう。【００２９】
なお、ＬＴＥにおけるＲＬＦ判定は、基地局から通知されるＲＬＦ判定用のパラメータである判定回数Ｎ３１０及び判定タイマＴ３１０を用いて移動局が実施する。移動局は、ソースセルの無線品質が予め設定された所定の閾値（ＲＬＦ判定閾値）以下になると、その状態が判定タイマＴ３１０の設定時間を超えるか否かを確認する。そして、判定タイマＴ３１０の設定時間を超えて無線品質がＲＬＦ判定閾値よりも低下した回数を計数し、該回数が上記判定回数Ｎ３１０に到達した場合にＲＬＦと判定する。
【先行技術文献】
【特許文献】
【００３０】
【特許文献１】国際公開第２０１０／００２９２６号
【非特許文献】
【００３１】
【非特許文献１】3GPP TS36.331 v.11.4.0, “Evolved Universal Terrestrial Radio Access (E-UTRA); Radio Resource Control (RRC); Protocol specification,” 2013
【非特許文献２】3GPP TS36.423 v11.5.0, “Evolved Universal Terrestrial Radio Access Network (E-UTRAN); X2 Application Protocol (X2AP),”2013
【非特許文献３】3GPP TR36.839 v.11.1.0, “Evolved Universal Terrestrial Radio Access (E-UTRA); Mobility enhancements in heterogeneous networks,”2013
【発明の概要】
【００３２】
そこで、本発明は、ハンドオーバに伴う通信の瞬断時間の低減に寄与する無線通信システム、無線通信システムが備える基地局及びネットワーク管理装置、無線通信システムのハンドオーバ制御方法、並びにコンピュータを基地局及びネットワーク管理装置として機能させるためのプログラムを提供することを目的とする。
【００３３】
上記目的を達成するため本発明の無線通信システムは、自局が管理するセルを介して移動局と無線通信を行う、複数の基地局を備えた無線通信システムであって、
前記基地局は、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される前記測定報告に基づいて前記無線品質が予め設定された所定の期間内に所定値よりも低下する、ハンドオーバが必要な移動局を検出し、該移動局のハンドオーバ処理を実施するハンドオーバ処理部と、
を備え、
前記測定報告設定部は、
前記報告条件として、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを前記移動局に通知し、
前記ハンドオーバ処理部は、
前記第２の報告条件を満たすことで測定報告を送信した移動局を、前記ハンドオーバが必要な移動局として検出する構成である。
【００３４】
または、自局が管理するセルを介して移動局と無線通信を行う、複数の基地局を備えた無線通信システムであって、
前記基地局は、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される前記測定報告に基づいて前記無線品質が予め設定された所定の期間内に所定値よりも低下する、ハンドオーバが必要な移動局を検出し、該移動局のハンドオーバ処理を実施するハンドオーバ処理部と、
を備え、
前記測定報告設定部は、
前記移動局から前記測定報告が送信されると、該移動局における報告条件を前記無線品質の測定結果を周期的に送信させる周期報告条件に変更し、
前記ハンドオーバ処理部は、
前記移動局から送信される複数の測定報告から前記無線品質の劣化量を求め、該劣化量が予め設定された所定値よりも大きい場合、前記ハンドオーバが必要な移動局として検出する構成である。
【００３５】
または、自局が管理するセルを介して移動局と無線通信を行う複数の基地局と、
前記複数の基地局を管理するネットワーク管理装置と、
を有し、
前記基地局は、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を前記ネットワーク管理装置へ通知する通信品質記憶部と、
を備え、
前記測定報告設定部は、
前記報告条件として、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを前記移動局に通知し、
前記ネットワーク管理装置は、
前記基地局から通知された、前記第１の報告条件及び前記第２の報告条件を満たすことで送信された総測定報告数に対する前記第２の報告条件を満たすことで送信された測定報告数から、前記第２の報告条件を満たすことで送信される測定報告の発生確率を求め、該発生確率が予め設定された検出閾値を超える場合、前記無線品質が予め設定された所定の期間内に所定値よりも低下する、前記セルと前記隣接セルの組み合わせから成るセルペアを検出するセルペア検出部を備える構成である。
【００３６】
または、自局が管理するセルを介して移動局と無線通信を行う複数の基地局と、
前記複数の基地局を管理するネットワーク管理装置と、
を有し、
前記基地局は、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を前記ネットワーク管理装置へ通知する通信品質記憶部と、
を備え、
前記ネットワーク管理装置は、
前記基地局から通知された、前記報告条件を満たすことで送信された測定報告の報告回数及び該測定報告で報告された無線品質が予め設定された所要品質よりも低下している回数から、該無線品質が前記所要品質よりも低下する確率を求め、該確率が予め設定された検出閾値を超える場合、前記無線品質が予め設定された所定の期間内に所定値よりも低下する、前記セルと前記隣接セルの組み合わせから成るセルペアを検出するセルペア検出部を備える構成である。
【００３７】
本発明の基地局は、自局が管理するセルを介して移動局と無線通信を行う、無線通信システムが備える基地局であって、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される前記測定報告に基づいて前記無線品質が予め設定された所定の期間内に所定値よりも低下する、ハンドオーバが必要な移動局を検出し、該移動局のハンドオーバ処理を実施するハンドオーバ処理部と、
を有し、
前記測定報告設定部は、
前記報告条件として、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを前記移動局に通知し、
前記ハンドオーバ処理部は、
前記第２の報告条件を満たすことで測定報告を送信した移動局を、前記ハンドオーバが必要な移動局として検出する構成である。
【００３８】
または、自局が管理するセルを介して移動局と無線通信を行う、無線通信システムが備える基地局であって、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される前記測定報告に基づいて前記無線品質が予め設定された所定の期間内に所定値よりも低下する、ハンドオーバが必要な移動局を検出し、該移動局のハンドオーバ処理を実施するハンドオーバ処理部と、
を有し、
前記測定報告設定部は、
前記移動局から前記測定報告が送信されると、該移動局における報告条件を前記無線品質の測定結果を周期的に送信させる周期報告条件に変更し、
前記ハンドオーバ処理部は、
前記移動局から送信される複数の測定報告から前記無線品質の劣化量を求め、該劣化量が予め設定された所定値よりも大きい場合、前記ハンドオーバが必要な移動局として検出する構成である。
【００３９】
または、自局が管理するセルを介して移動局と無線通信を行う、無線通信システムが備える基地局であって、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を、自局を管理する上位装置へ通知する通信品質記憶部と、
前記上位装置からの指示にしたがって、送信電力、アンテナのチルト角または前記移動局との無線リンクで障害が発生したか否かの判定に用いる判定タイマの少なくとも１つを変更する無線パラメータ制御部と、
を有し、
前記測定報告設定部は、
前記報告条件として、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを前記移動局に通知し、
前記通信品質記憶部は、
前記第１の報告条件を満たすことで送信された測定報告数及び前記第２の報告条件を満たすことで送信された測定報告数をそれぞれ前記上位装置へ送信する構成である。
【００４０】
または、自局が管理するセルを介して移動局と無線通信を行う、無線通信システムが備える基地局であって、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を、自局を管理する上位装置へ通知する通信品質記憶部と、
前記上位装置からの指示にしたがって、送信電力、アンテナのチルト角または前記移動局との無線リンクで障害が発生したか否かの判定に用いる判定タイマの少なくとも１つを変更する無線パラメータ制御部と、
を有し、
前記通信品質記憶部は、
前記報告条件を満たすことで送信された測定報告の報告回数及び該測定報告で報告された無線品質が予め設定された所要品質よりも低下している回数をそれぞれ前記上位装置へ送信する構成である。
【００４１】
または、自局が管理するセルを介して移動局と無線通信を行う、無線通信システムが備える基地局であって、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を、自局を管理する上位装置へ通知する通信品質記憶部と、
自局が管理するセルと接続中の移動局を特定するための移動局情報を、該移動局のハンドオーバによる接続の切り替え先のセルを管理するターゲット基地局へ所定のタイミングで送信する移動局情報転送部と、
を有し、
前記測定報告設定部は、
前記報告条件として、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを前記移動局に通知し、
前記通信品質記憶部は、
前記第１の報告条件を満たすことで送信された測定報告数及び前記第２の報告条件を満たすことで送信された測定報告数をそれぞれ前記上位装置へ送信する構成である。
【００４２】
または、自局が管理するセルを介して移動局と無線通信を行う、無線通信システムが備える基地局であって、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を、自局を管理する上位装置へ通知する通信品質記憶部と、
自局が管理するセルと接続中の移動局を特定するための移動局情報を、該移動局のハンドオーバによる接続の切り替え先のセルを管理するターゲット基地局へ所定のタイミングで送信する移動局情報転送部と、
を有し、
前記通信品質記憶部は、
前記報告条件を満たすことで送信された測定報告の報告回数及び該測定報告で報告された無線品質が予め設定された所要品質よりも低下している回数をそれぞれ前記上位装置へ送信する構成である。
【００４３】
本発明のネットワーク管理装置は、セルを介して移動局と無線通信を行う複数の基地局を管理するネットワーク管理装置であって、
前記移動局と接続中の基地局が管理するセル及び該セルと隣接する隣接セル毎の無線品質の測定結果を含む測定報告を該移動局から前記基地局へ送信させるための第１の報告条件を満たすことで前記基地局から送信された測定報告数及び前記第１の報告条件とは異なる第２の報告条件を満たすことで前記基地局から送信された測定報告数を受信すると、
前記第１の報告条件及び前記第２の報告条件を満たすことで送信された総測定報告数に対する前記第２の報告条件を満たすことで送信された測定報告数から、前記第２の報告条件を満たすことで送信される測定報告の発生確率を求め、該発生確率が予め設定された検出閾値を超える場合、前記無線品質が予め設定された所定の期間内に所定値よりも低下する、前記セルと前記隣接セルの組み合わせから成るセルペアとして検出するセルペア検出部を備え、
前記第２の報告条件が、
前記無線品質の測定結果に付加するオフセット値が前記第１の報告条件よりも大きく、報告条件を満たしてから前記測定報告を送信するまでの時間である保護時間が前記第１の報告条件よりも短い値に設定された構成である。
【００４４】
または、セルを介して移動局と無線通信を行う複数の基地局を管理するネットワーク管理装置であって、
前記移動局と接続中の基地局が管理するセル及び該セルと隣接する隣接セル毎の無線品質の測定結果を含む測定報告を該移動局から前記基地局へ送信させるための報告条件を満たすことで前記基地局から送信された測定報告数、並びに該測定報告で報告された無線品質が予め設定された所要品質よりも低下している回数を前記基地局から受信すると、
前記測定報告の報告回数及び前記無線品質が予め設定された所要品質よりも低下している回数から、該無線品質が前記所要品質よりも低下する確率を求め、該確率が予め設定された検出閾値を超える場合、前記無線品質が予め設定された所定の期間内に所定値よりも低下する、前記セルと前記隣接セルの組み合わせから成るセルペアとして検出するセルペア検出部を備える構成である。
【００４５】
本発明のハンドオーバ制御方法は、自局が管理するセルを介して移動局と無線通信を行う、複数の基地局を備えた無線通信システムによるハンドオーバ制御方法であって、
前記基地局が、
自局と接続中の各移動局に、自局が管理するセル及び該セルと隣接する隣接セル毎の無線品質の測定結果を含む測定報告を送信させるための報告条件を通知し、
前記報告条件が、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを含み、
前記移動局から送信される前記測定報告に基づき、前記第２の報告条件を満たすことで測定報告を送信した移動局を前記無線品質が予め設定された所定の期間内に所定値よりも低下する、ハンドオーバが必要な移動局として検出する方法である。
【００４６】
または、自局が管理するセルを介して移動局と無線通信を行う、複数の基地局を備えた無線通信システムによるハンドオーバ制御方法であって、
前記基地局が、
自局と接続中の各移動局に、自局が管理するセル及び該セルと隣接する隣接セル毎の無線品質の測定結果を含む測定報告を送信させるための報告条件を通知し、
前記移動局から前記測定報告が送信されると、該移動局における報告条件を前記無線品質の測定結果を周期的に送信させる周期報告条件に変更し、
前記移動局から送信される前記測定報告に基づき、前記移動局から送信される複数の測定報告から前記無線品質の劣化量を求め、該劣化量が予め設定された所定値よりも大きい場合、前記無線品質が予め設定された所定の期間内に所定値よりも低下する、ハンドオーバが必要な移動局として検出する方法である。
【００４７】
または、自局が管理するセルを介して移動局と無線通信を行う複数の基地局と、
前記複数の基地局を管理するネットワーク管理装置と、
を有する無線通信システムによるハンドオーバ制御方法であって、
前記基地局が、
自局と接続中の各移動局に、自局が管理するセル及び該セルと隣接する隣接セル毎の無線品質の測定結果を含む測定報告を送信させるための報告条件を通知し、
前記報告条件は、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを含み、
前記移動局から送信される測定報告を集計し、該集計した統計情報を前記ネットワーク管理装置へ通知し、
前記ネットワーク管理装置が、
前記基地局から通知された、前記第１の報告条件及び前記第２の報告条件を満たすことで送信された総測定報告数に対する前記第２の報告条件を満たすことで送信された測定報告数から、前記第２の報告条件を満たすことで送信される測定報告の発生確率を求め、該発生確率が予め設定された検出閾値を超える場合、前記無線品質が予め設定された所定の期間内に所定値よりも低下する、前記セルと前記隣接セルの組み合わせから成るセルペアを検出する方法である。
【００４８】
または、自局が管理するセルを介して移動局と無線通信を行う複数の基地局と、
前記複数の基地局を管理するネットワーク管理装置と、
を有する無線通信システムによるハンドオーバ制御方法であって、
前記基地局が、
自局と接続中の各移動局に、自局が管理するセル及び該セルと隣接する隣接セル毎の無線品質の測定結果を含む測定報告を送信させるための報告条件を通知し、
前記移動局から送信される測定報告を集計し、該集計した統計情報を前記ネットワーク管理装置へ通知し、
前記ネットワーク管理装置が、
前記基地局から通知された、前記報告条件を満たすことで送信された測定報告の報告回数及び該測定報告で報告された無線品質が予め設定された所要品質よりも低下している回数から、該無線品質が前記所要品質よりも低下する確率を求め、該確率が予め設定された検出閾値を超える場合、前記無線品質が予め設定された所定の期間内に所定値よりも低下する、前記セルと前記隣接セルの組み合わせから成るセルペアを検出する方法である。
【００４９】
本発明のプログラムは、コンピュータを、自局が管理するセルを介して移動局と無線通信を行う、無線通信システムが備える基地局として機能させるためのプログラムであって、
前記コンピュータを、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される前記測定報告に基づいて前記無線品質が予め設定された所定の期間内に所定値よりも低下する、ハンドオーバが必要な移動局を検出し、該移動局のハンドオーバ処理を実施するハンドオーバ処理部と、して機能させ、
前記測定報告設定部として、
前記報告条件として、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを前記移動局に通知させ、
前記ハンドオーバ処理部として、
前記第２の報告条件を満たすことで測定報告を送信した移動局を、前記ハンドオーバが必要な移動局として検出させるためのものである。
【００５０】
または、コンピュータを、自局が管理するセルを介して移動局と無線通信を行う、無線通信システムが備える基地局として機能させるためのプログラムであって、
前記コンピュータを、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される前記測定報告に基づいて前記無線品質が予め設定された所定の期間内に所定値よりも低下する、ハンドオーバが必要な移動局を検出し、該移動局のハンドオーバ処理を実施するハンドオーバ処理部と、して機能させ、
前記測定報告設定部として、
前記移動局から前記測定報告が送信されると、該移動局における報告条件を前記無線品質の測定結果を周期的に送信させる周期報告条件に変更させ、
前記ハンドオーバ処理部として、
前記移動局から送信される複数の測定報告から前記無線品質の劣化量を求め、該劣化量が予め設定された所定値よりも大きい場合、前記ハンドオーバが必要な移動局として検出させるためのものである。
【００５１】
または、コンピュータを、自局が管理するセルを介して移動局と無線通信を行う、無線通信システムが備える基地局として機能させるためのプログラムであって、
前記コンピュータを、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を、自局を管理する上位装置へ通知する通信品質記憶部と、
前記上位装置からの指示にしたがって、送信電力、アンテナのチルト角または前記移動局との無線リンクで障害が発生したか否かの判定に用いる判定タイマの少なくとも１つを変更する無線パラメータ制御部と、して機能させ、
前記測定報告設定部として、
前記報告条件として、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを前記移動局に通知させ、
前記通信品質記憶部として、
前記第１の報告条件を満たすことで送信された測定報告数及び前記第２の報告条件を満たすことで送信された測定報告数をそれぞれ前記上位装置へ送信させるためのものである。
【００５２】
または、コンピュータを、自局が管理するセルを介して移動局と無線通信を行う、無線通信システムが備える基地局として機能させるためのプログラムであって、
前記コンピュータを、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を、自局を管理する上位装置へ通知する通信品質記憶部と、
前記上位装置からの指示にしたがって、送信電力、アンテナのチルト角または前記移動局との無線リンクで障害が発生したか否かの判定に用いる判定タイマの少なくとも１つを変更する無線パラメータ制御部と、して機能させ、
前記通信品質記憶部として、
前記報告条件を満たすことで送信された測定報告の報告回数及び該測定報告で報告された無線品質が予め設定された所要品質よりも低下している回数をそれぞれ前記上位装置へ送信させるためのものである。
【００５３】
または、コンピュータを、自局が管理するセルを介して移動局と無線通信を行う、無線通信システムが備える基地局として機能させるためのプログラムであって、
前記コンピュータを、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を、自局を管理する上位装置へ通知する通信品質記憶部と、
自局が管理するセルと接続中の移動局を特定するための移動局情報を、該移動局のハンドオーバによる接続の切り替え先のセルを管理するターゲット基地局へ所定のタイミングで送信する移動局情報転送部と、して機能させ、
前記測定報告設定部として、
前記報告条件として、第１の報告条件と、前記無線品質の測定結果に付加するオフセット値が前記第１の報告条件よりも大きく、報告条件を満たしてから前記測定報告を送信するまでの時間である保護時間が前記第１の報告条件よりも短い第２の報告条件とを前記移動局に通知させ、
前記通信品質記憶部として、
前記第１の報告条件を満たすことで送信された測定報告数及び前記第２の報告条件を満たすことで送信された測定報告数をそれぞれ前記上位装置へ送信させるためのものである。
【００５４】
または、コンピュータを、自局が管理するセルを介して移動局と無線通信を行う、無線通信システムが備える基地局として機能させるためのプログラムであって、
前記コンピュータを、
自局と接続中の各移動局に、自局が管理するセル及び該セルと隣接する隣接セル毎の無線品質の測定結果を含む測定報告を送信させるための報告条件を通知する測定報告設定部と、
前記移動局から送信される測定報告を集計し、該集計した統計情報を、自局を管理する上位装置へ通知する通信品質記憶部と、
自局が管理するセルと接続中の移動局を特定するための移動局情報を、該移動局のハンドオーバによる接続の切り替え先のセルを管理するターゲット基地局へ所定のタイミングで送信する移動局情報転送部と、して機能させ、
前記通信品質記憶部として、
前記報告条件を満たすことで送信された測定報告の報告回数及び該測定報告で報告された無線品質が予め設定された所要品質よりも低下している回数をそれぞれ前記上位装置へ送信させるためのものである。
【００５５】
または、コンピュータを、セルを介して移動局と無線通信を行う複数の基地局を管理するネットワーク管理装置として機能させるためのプログラムであって、
前記コンピュータを、
前記移動局と接続中の基地局が管理するセル及び該セルと隣接する隣接セル毎の無線品質の測定結果を含む測定報告を該移動局から前記基地局へ送信させるための第１の報告条件を満たすことで前記基地局から送信された測定報告数及び前記第１の報告条件とは異なる第２の報告条件を満たすことで前記基地局から送信された測定報告数を受信すると、
前記第１の報告条件及び前記第２の報告条件を満たすことで送信された総測定報告数に対する前記第２の報告条件を満たすことで送信された測定報告数から、前記第２の報告条件を満たすことで送信される測定報告の発生確率を求め、該発生確率が予め設定された検出閾値を超える場合、前記無線品質が予め設定された所定の期間内に所定値よりも低下する、前記セルと前記隣接セルの組み合わせから成るセルペアとして検出するセルペア検出部として機能させ、
前記第２の報告条件が、
前記無線品質の測定結果に付加するオフセット値が前記第１の報告条件よりも大きく、報告条件を満たしてから前記測定報告を送信するまでの時間である保護時間が前記第１の報告条件よりも短い値に設定されたものである。
【００５６】
または、コンピュータを、セルを介して移動局と無線通信を行う複数の基地局を管理するネットワーク管理装置として機能させるためのプログラムであって、
前記コンピュータを、
前記移動局と接続中の基地局が管理するセル及び該セルと隣接する隣接セル毎の無線品質の測定結果を含む測定報告を該移動局から前記基地局へ送信させるための報告条件を満たすことで前記基地局から送信された測定報告数、並びに該測定報告で報告された無線品質が予め設定された所要品質よりも低下している回数を前記基地局から受信すると、
前記測定報告の報告回数及び前記無線品質が予め設定された所要品質よりも低下している回数から、該無線品質が前記所要品質よりも低下する確率を求め、該確率が予め設定された検出閾値を超える場合、前記無線品質が予め設定された所定の期間内に所定値よりも低下する、前記セルと前記隣接セルの組み合わせから成るセルペアとして検出するセルペア検出部として機能させるためのものである。
【図面の簡単な説明】
【００５７】
【図１】図１は、ハンドオーバ・パラメータ（ＣＩＯ）を調整することでハンドオーバ失敗が低減する理由を模式的に示すグラフである。
【図２】図２は、屋外セルから屋内セルへ移動する移動局の無線品質（ＲＳＲＰ，ＲＳＲＱ）の変化の様子を模式的に示すグラフである。
【図３】図３は、第１の実施の形態の無線通信システムの一構成例を示すブロック図である。
【図４】図４は、第１の実施の形態の基地局の一構成例を示すブロック図である。
【図５】図５は、第１の実施の形態の無線通信システムの動作の一例を示すシーケンス図である。
【図６】図６は、第１の実施の形態で用いる２種類の報告条件を模式的に示すグラフである。
【図７】図７は、第２の実施の形態の無線通信システムの動作の一例を示すシーケンス図である。
【図８】図８は、第２の実施の形態で用いる報告条件を模式的に示すグラフである。
【図９】図９は、第３の実施の形態の無線通信システムの一構成例を示すブロック図である。
【図１０】図１０は、第３の実施の形態の基地局及びネットワーク管理装置の一構成例を示すブロック図である。
【図１１】図１１は、第３の実施の形態の無線通信システムの動作の一例を示すシーケンス図である。
【図１２】図１２は、第３の実施の形態のネットワーク管理装置で保存される統計情報の一例を示すグラフである。
【図１３】図１３は、第４の実施の形態の無線通信システムの動作の一例を示すシーケンス図である。
【図１４】図１４は、第４の実施の形態のネットワーク管理装置で保存される無線品質の統計情報の一例を示すグラフである。
【図１５】図１５は、第５の実施の形態の基地局及びネットワーク管理装置の一構成例を示すブロック図である。
【図１６】図１６は、第５の実施の形態の無線通信システムの動作の一例を示すシーケンス図である。
【発明を実施するための形態】
【００５８】
次に本発明について図面を参照して説明する。
（第１の実施の形態）
第１の実施の形態では、各移動局からの測定報告に基づきソースセルとの無線品質が急激に劣化している移動局を検出する。ソース基地局は、該移動局を検出すると、ハンドオーバ処理の開始を要求するハンドオーバ要求（Handover Request）を、検出した移動局のターゲットセルを管理するターゲット基地局に直ちに送信する。第１の実施の形態では、各移動局からソース基地局へ送信させる測定報告に２種類の報告条件を設定する。
【００５９】
なお、第１の実施の形態では、無線通信システムとして上記ＬＴＥに対応する無線セルラシステムを想定する。この点については後述する第２〜第５の実施の形態も同様である。
【００６０】
図３は、第１の実施の形態の無線通信システムの一構成例を示すブロック図である。
【００６１】
図３に示すように、第１の実施の形態の無線通信システムは、複数の基地局１０と複数の移動局２０とを有する。各基地局１０は、それぞれ１つ以上のセル１１を管理する。移動局２０は自局が在圏するセル１１を管理する基地局１０と無線接続することで該基地局１０と双方向の無線通信が可能である。
【００６２】
基地局１０は、不図示の上位ネットワークと接続され、移動局２０と上位ネットワーク間のトラヒックを中継する。上位ネットワークには無線アクセスネットワーク及びコアネットワークが含まれる。また、基地局１０には無線信号を中継するリレー基地局等も含まれる。
【００６３】
図３では無線通信システムが３台の基地局１０を備える構成例を示しているが、無線通信システムを構成する基地局１０の数は何台でもよい。また、図３では各基地局１０がそれぞれ１つのセル１１を管理する構成例を示しているが、基地局１０は複数のセルを管理する構成もある。
【００６４】
図４は、第１の実施の形態の基地局の一構成例を示すブロック図である。
【００６５】
図４ではソースセル１１Ａを管理する基地局に符号１０Ａを付与し、隣接セル（ターゲットセル）１１Ｂを管理する基地局に符号１０Ｂを付与している。図３に示した各基地局１０は、それぞれ同一の構成であり、ソース基地局として動作する場合は図４に示す基地局１０Ａとなり、ターゲット基地局として動作する場合は図４に示す基地局１０Ｂとなる。
【００６６】
図４に示すように、基地局１０Ａは、測定報告設定部１００Ａ、通信品質記憶部１０１Ａ及びハンドオーバ処理部１０２Ａを備える。基地局１０Ｂは、測定報告設定部１００Ｂ、通信品質記憶部１０１Ｂ及びハンドオーバ処理部１０２Ｂを備える。基地局１０Ａと基地局１０Ｂとは周知の通信インタフェースを介して互いに情報の送受信が可能な構成である。例えばＬＴＥの場合、基地局１０Ａと基地局１０Ｂとは有線インタフェースであるＸ２インタフェースを用いて必要な情報を送受信する。
【００６７】
測定報告設定部１００Ａは、自局と接続する各移動局２０から送信させる測定報告の報告条件を決定する。報告条件には、対応する測定報告の種類（イベントの種類）や使用するパラメータ（A3 offset、ＣＩＯ、ＴＴＴ）の値が含まれる。A3 offsetはイベントＡ３で用いる上記オフセットパラメータＯｆｆである。ＬＴＥでは、測定指標に応じてイベントＡ１〜Ａ６、Ｂ１〜Ｂ２の測定報告が定義されている（非特許文献１参照）。例えば、ハンドオーバに用いられるイベントＡ３は、隣接セルの無線品質がソースセルの無線品質よりも良好となった場合に測定報告を送信するイベントである。
【００６８】
通信品質記憶部１０１Ａは、各移動局２０から送信された測定報告を保存し、移動局２０毎の測定報告をハンドオーバ処理部１０２Ａに出力する。
【００６９】
ハンドオーバ処理部１０２Ａは、通信品質記憶部１０１Ａから受け取った測定報告に基づき移動局２０毎にハンドオーバが必要か否かを判定し、ハンドオーバを行う場合はターゲットセル１１Ｂを管理する基地局１０Ｂに移動局２０のハンドオーバ要求を送信する。ハンドオーバ要求を受信した基地局１０Ｂは、ハンドオーバ処理部１０２Ｂにより該ハンドオーバ要求を認めるか否かを判定し、その判定結果を基地局１０Ａに返送する。
【００７０】
図４に示す基地局１０Ａが備える測定報告設定部１００Ａ、通信品質記憶部１０１Ａ及びハンドオーバ処理部１０２Ａは、例えばメモリ、各種の論理回路、制御プログラムにしたがって所定の処理を実行するＣＰＵ（Central Processing Unit）等を備えた情報処理装置（コンピュータ）によって実現できる。ＣＰＵは、制御プログラムにしたがって処理を実行することで測定報告設定部１００Ａ、通信品質記憶部１０１Ａ及びハンドオーバ処理部１０２Ａの機能を実現する。図４に示す基地局１０Ｂが備える測定報告設定部１００Ｂ、通信品質記憶部１０１Ｂ及びハンドオーバ処理部１０２Ｂも同様である。
【００７１】
次に第１の実施の形態の無線通信システムの動作について図５を用いて説明する。
【００７２】
図５は、第１の実施の形態の無線通信システムの動作の一例を示すシーケンス図である。
【００７３】
図５に示すように、基地局１０Ａ（以下、ソース基地局）は、まず自局が管理するソースセル内の全ての移動局２０に設定する、測定報告を送信すべき２種類の報告条件を決定する（ステップＳ１００）。
【００７４】
図６を用いて各移動局２０に設定する報告条件について説明する。
【００７５】
図６は、第１の実施の形態で用いる２種類の報告条件を模式的に示すグラフである。
【００７６】
第１の報告条件（Ｃｏｎｆｉｇ１）は、イベントＡ３で用いるパラメータを、例えば３ＧＰＰ技術仕様書（非特許文献３）で規定された、ハンドオーバの評価に用いる一般的な値に設定する。また、第２の報告条件（Ｃｏｎｆｉｇ２）は、イベントＡ３で用いるパラメータを無線品質（ＲＳＲＰ）の大きな劣化を検出できる値に設定する。
【００７７】
ここで、第１の報告条件として設定するオフセットパラメータＯｆｆをＯｆｆ１、保護時間ＴＴＴをＴＴＴ１とし、第２の報告条件として設定するオフセットパラメータＯｆｆをＯｆｆ２、保護時間ＴＴＴをＴＴＴ２とすると、これらのパラメータを以下の式（３）及び（４）を満たすように設定する。
【００７８】
Ｏｆｆ１＜＜Ｏｆｆ２…（３）
ＴＴＴ１＞＞ＴＴＴ２…（４）
例えば、第１の報告条件では、Ｏｆｆ１を１ｄＢに設定し、ＴＴＴ１を１２８ミリ秒に設定する。第１の報告条件は、無線品質（ＲＳＲＰ）が急激に劣化しないと考えられる移動局２０において、上記式（１）を満たして測定報告を送信する場合を想定した報告条件である。第２の報告条件では、Ｏｆｆ２を第１の報告条件よりも大きな値である、例えば１０ｄＢに設定し、ＴＴＴ２を第１の報告条件よりも小さな値である、例えば０ミリ秒に設定する。このように第２の報告条件を設定すると、移動局２０は、ソースセルの無線品質（ＲＳＲＰ）の大きな劣化（Ｏｆｆ２＝１０ｄＢ）を検出したとき、直ちに（ＴＴＴ２＝０）ソース基地局１０Ａへ測定報告を送信することになる。
【００７９】
なお、第１の報告条件及び第２の報告条件として設定する上記Ｏｆｆ及びＴＴＴの値は、上記式（３）及び（４）を満たせば自由に設定してよい。ここでは、Ｏｆｆ２をＯｆｆ１よりも大きな値に設定する例を示したが、代わりに上記式（２）で定義されるＣＩＯを小さな値に設定してもよい。
【００８０】
次に、ソース基地局１０Ａは、ステップＳ１００で決定した第１及び第２の報告条件を自局と接続された全ての移動局２０へ通知する（ステップＳ１０１）。移動局２０は、無線品質（ＲＳＲＰ、ＲＳＲＱ）を測定し、第１の報告条件または第２の報告条件の少なくとも一方を満たすとき、ソース基地局１０Ａに測定報告を送信する（ステップＳ１０２）。
【００８１】
ソース基地局１０Ａは、移動局２０から送信される測定報告に基づいてターゲットセルを決定し、該ターゲットセルを管理する基地局１０Ｂ（以下、ターゲット基地局）にハンドオーバ要求（Handover Request）を送信する。このとき、ソース基地局１０Ａは、受信した測定報告が第１の報告条件または第２の報告条件のどちらの要因で送信された場合でもターゲット基地局１０Ｂにハンドオーバ要求を送信する（ステップＳ１０３）。なお、移動局２０は、測定報告が第１の報告条件を満たして送信したのか、または第２の報告条件を満たして送信したのかがソース基地局１０Ａで判別できるように、測定報告に報告条件を識別するための識別子を含める。ソース基地局１０Ａは、第２の報告条件に基づく測定報告を受信した場合、無線品質の急激な劣化を検出したことによるハンドオーバ要求をターゲット基地局１０Ｂへ送信することになる。
【００８２】
ターゲット基地局１０Ｂは、ハンドオーバ要求を受信すると、該ハンドオーバ要求を認めるか否かを判定し、認める場合はソース基地局１０Ａにハンドオーバ要求の肯定応答（Handover Request ACK）を返送する（ステップＳ１０４）。ターゲット基地局１０Ｂは、例えば自局の処理負荷が高く、ハンドオーバによって自局と接続される移動局２０のユーザスループットが低下する場合、ソース基地局１０Ａにハンドオーバ要求の否定応答（Handover Request NACK）を返送する。
【００８３】
ハンドオーバ要求の肯定応答を受信したソース基地局１０Ａは、移動局２０にハンドオーバ処理の開始を指示するハンドオーバ指示を送信する（ステップＳ１０５）。ハンドオーバ指示のメッセージにはターゲットセルのセルＩＤや該移動局２０のＩＤ等が含まれる。
【００８４】
ハンドオーバ指示を受信した移動局２０は、セルの接続先をソースセルからターゲットセルに切り替え、以降、ターゲットセルを介して上位ネットワークとの通信を継続する（ステップＳ１０６）。
【００８５】
第１の実施の形態によれば、ソースセルにて無線品質の大きな劣化を検出した場合、直ちにソース基地局１０Ａへ測定報告を送信させるための報告条件（第２の報告条件）を各移動局２０に設定する。そのため、ソース基地局１０Ａは、該第２の報告条件に基づく測定報告を移動局２０から受信すると、直ちにターゲット基地局１０Ｂに該移動局２０のハンドオーバ要求を送信する。したがって、図２に示した背景技術のように、移動局２０が測定報告を送信する前にＲＳＲＱ劣化を原因とするＲＬＦが発生することがない。そのため、ハンドオーバ失敗の発生が低減して通信の瞬断時間を低減できる。
【００８６】
なお、第１の実施の形態では、各基地局１０が、測定報告設定部、通信品質記憶部及びハンドオーバ処理部をそれぞれ備える構成例を示したが、本発明の目的（ハンドオーバに伴う通信の瞬断時間の低減に寄与する）は各基地局１０が測定報告設定部及びハンドオーバ処理部を備えていれば達成することが可能である。すなわち、各基地局１０が測定報告設定部及びハンドオーバ処理部を備えていれば、作用・効果が生じて本発明の課題を解決することができる。
（第２の実施の形態）
上述した第１の実施の形態では、２種類の報告条件を用いて移動局２０から測定報告を送信させる例を示した。第２の実施の形態では、報告条件を１種類とし、該報告条件に基づく測定報告を送信した移動局２０に無線品質の測定結果を周期的に報告させることで無線品質の急激な劣化を検出する。無線通信システムの構成は第１の実施の形態と同様であるため、ここではその説明を省略する。
【００８７】
図７は、第２の実施の形態の無線通信システムの動作の一例を示すシーケンス図である。図８は、第２の実施の形態で用いる報告条件を模式的に示すグラフである。
【００８８】
図７に示すように、ソース基地局１０Ａは、まずソースセル内の全ての移動局２０に設定する報告条件を決定する（ステップＳ２００）。ここでは無線品質が急激に劣化する前に移動局２０から測定報告が送信されるように、オフセットパラメータＯｆｆ及びＴＴＴを上記第１の報告条件として示した一般的な値よりも小さい値に設定する。例えば、オフセットパラメータＯｆｆを−３ｄＢに設定し、ＴＴＴを８０ミリ秒に設定する。なお、報告条件として設定する上記Ｏｆｆ及びＴＴＴの値は、上記目的「無線品質が急激に劣化する前に測定報告を送信する」が達成できればどのような値に設定してもよい。ここでは、オフセットパラメータＯｆｆを小さな値に設定する例を示したが、代わりに上記式（２）で定義されるＣＩＯを大きな値に設定してもよい。
【００８９】
次に、ソース基地局１０Ａは、ステップＳ２００で決定した報告条件を自局が管理する全ての移動局２０へ通知する（ステップＳ２０１）。移動局２０は、ソース基地局１０Ａから通知された報告条件を満たすとき、ソース基地局１０Ａに測定報告を送信する（ステップＳ２０２）。
【００９０】
ソース基地局１０Ａは、移動局２０から測定報告を受信すると、該移動局２０の報告条件の変更を決定する（ステップＳ２０３）。図８に示すように、例えばステップＳ２００では上記式（１）で示した報告条件（以下、イベント報告条件と称す）に決定し、ステップＳ２０３では予め設定された所定の周期毎に無線品質（ＲＳＲＱ）の測定結果を送信させる報告条件（以下、周期報告条件と称す）に決定する。なお、周期報告条件に基づく測定報告（以下、周期報告と称す）は、無線品質の急激な劣化が検出できるように、短い周期（例えば１２０ミリ秒等）で送信させることが望ましい。
【００９１】
ソース基地局１０Ａは、ステップＳ２０３で決定した変更後の報告条件を移動局２０へ通知する（ステップＳ２０４）。変更後の報告条件を受信した移動局２０は該報告条件にしたがって無線品質の測定結果を所定の周期毎にソース基地局１０Ａへ送信する（ステップＳ２０５）。ここでは、無線品質の変化から該無線品質が急激に劣化している移動局２０を検出するため、上記イベント報告条件に基づく測定報告（以下、イベント報告と称す）の他に、少なくとも１回の周期報告条件に基づく測定報告（以下、周期報告と称す）が必要となる。
【００９２】
ソース基地局１０Ａは、所定の周期毎に報告される無線品質（ＲＳＲＱ）の劣化量に基づき、ハンドオーバが必要な移動局２０を検出する（ステップＳ２０６）。ソース基地局１０Ａは、先に報告されたＲＳＲＱと最新のＲＳＲＱとを比較し、最新のＲＳＲＱの方が小さい場合、ＲＳＲＱが劣化していると判定する。このとき先に報告されたＲＳＲＱと最新のＲＳＲＱとの差をＲＳＲＱの劣化量とする。ソース基地局１０Ａは、ＲＳＲＱの劣化量が予め設定された所定値よりも大きい場合、無線品質が急激に劣化していると判定し、当該移動局２０のハンドオーバを決定する。以降、ターゲットセルに対するハンドオーバの処理（ステップＳ１０３〜Ｓ１０６）は、図５で示した第１の実施の形態と同様であるため、ここではその説明を省略する。
【００９３】
なお、移動局２０からソース基地局１０Ａに対する不要な測定報告を避けるため、ソース基地局１０Ａは、ＲＳＲＱが予め設定された所定の閾値よりも大きい移動局２０の報告条件を周期報告条件からイベント報告条件へ戻すことが望ましい。
【００９４】
また、上記説明では、移動局２０からのイベント報告を契機に報告条件を周期報告条件に変更する例を示したが、イベント報告で得られた測定報告から無線品質が予め設定された所定値よりも低下している移動局２０のみ報告条件を周期報告条件に変更してもよい。
【００９５】
第２の実施の形態によれば、イベント報告を契機に報告条件を周期報告条件へ変更し、周期的に報告される無線品質の変化から移動局２０の無線品質の急激な劣化を検出する。そのため、各移動局２０に設定する報告条件が１種類で済み、ソース基地局１０Ａから移動局２０へ通知する報告条件に要するシグナリング量を第１の実施の形態よりも低減できる。
【００９６】
なお、第２の実施の形態では、各基地局１０が、測定報告設定部、通信品質記憶部及びハンドオーバ処理部をそれぞれ備える構成例を示したが、第１の実施の形態と同様に、本発明の目的（ハンドオーバに伴う通信の瞬断時間の低減に寄与する）は、各基地局１０が測定報告設定部及びハンドオーバ処理部を備えていれば達成することが可能である。すなわち、各基地局１０が測定報告設定部及びハンドオーバ処理部を備えていれば、作用・効果が生じて本発明の課題を解決することができる。
（第３の実施の形態）
上述した第１及び第２の実施の形態では、ソース基地局が各移動局から通知される測定報告に基づいて無線品質が急激に劣化している移動局を検出し、当該移動局のハンドオーバ処理を実施する例を示した。第３の実施の形態では、各移動局から通知される無線品質の測定結果を統計処理し、その統計情報を用いて無線品質が急激に劣化しているセルペアを検出する。さらに、第３の実施の形態では、検出したセルペアの送信電力やアンテナチルト角等の無線パラメータを調整することで、該セルペアのソースセルからターゲットセルへの移動局のハンドオーバ失敗の発生を抑制する。
【００９７】
図９は、第３の実施の形態の無線通信システムの一構成例を示すブロック図である。
【００９８】
図９に示すように、第３の実施の形態の無線通信システムは、図３に示した第１の実施の形態の無線通信システムに複数の基地局１０を管理するネットワーク管理装置３０を追加した構成である。
【００９９】
本実施形態の基地局１０は、自局が管理するセル内の各移動局２０から通知される無線品質の測定結果を統計処理し、その処理結果である統計情報をネットワーク管理装置３０へ通知する。ネットワーク管理装置３０は、基地局１０から通知された統計情報に基づき無線品質が急激に劣化しているセルペアを検出する。また、ネットワーク管理装置３０は、検出したセルペアの基地局２０の無線パラメータ（例えば、送信電力）を調整することで、該セルペアにおけるハンドオーバ失敗の発生を抑制する。
【０１００】
図１０は、第３の実施の形態の基地局及びネットワーク管理装置の一構成例を示すブロック図である。
【０１０１】
図１０ではソースセル１１Ａを管理する基地局に符号１０Ａを付与し、隣接セル（ターゲットセル）１１Ｂを管理する基地局に符号１０Ｂを付与している。図９に示した各基地局１０は、それぞれ同一の構成であり、ソース基地局として動作する場合は図１０に示す基地局１０Ａとなり、ターゲット基地局として動作する場合は図１０に示す基地局１０Ｂとなる。
【０１０２】
図１０に示すように、第３の実施の形態の基地局１０Ａは、測定報告設定部１００Ａ、通信品質記憶部１０１Ａ、ハンドオーバ処理部１０２Ａ及び無線パラメータ制御部１０３Ａを備える。基地局１０Ｂは、測定報告設定部１００Ｂ、通信品質記憶部１０１Ｂ、ハンドオーバ処理部１０２Ｂ及び無線パラメータ制御部１０３Ｂを備える。基地局１０Ａと基地局１０Ｂとは周知の通信インタフェースを介して互いに情報の送受信が可能な構成である。例えばＬＴＥの場合、基地局１０Ａと基地局１０Ｂとは有線インタフェースであるＸ２インタフェースを用いて必要な情報を送受信する。
【０１０３】
通信品質記憶部１０１Ａは、ソースセル１１Ａ内の各移動局２０から通知される測定報告を保存すると共にそれらの値を集計し、集計した無線品質の統計情報を所定の周期毎にネットワーク管理装置３０へ報告する。
【０１０４】
無線パラメータ制御部１０３Ａは、ネットワーク管理装置３０の指示にしたがって無線パラメータを調整する。調整する無線パラメータは、例えば送信電力とする。調整する無線パラメータは、送信電力に限定する必要はなく、例えばアンテナチルト角やＲＬＦ用の判定タイマ（Ｔ３１０）等でもよい。ＲＬＦ用の判定タイマ（Ｔ３１０）は、上述したＬＴＥで規定された、移動局２０と基地局１０間の無線リンクで障害が発生したか否かの判定に用いる判定タイマである。
【０１０５】
ハンドオーバ処理部１０２Ａは、図４に示した第１の実施の形態と同様に、通信品質記憶部１０１Ａから受け取った測定報告に基づき移動局２０毎にハンドオーバを行うか否かを判定し、ハンドオーバを行う場合はターゲットセル１１Ｂを管理する基地局１０Ｂに移動局２０のハンドオーバ要求を送信する。ハンドオーバ要求を受信した基地局１０Ｂは、ハンドオーバ処理部１０２Ｂにより該ハンドオーバ要求を認めるか否かを判定し、その判定結果を基地局１０Ａへ返送する。
【０１０６】
図１０に示すように、ネットワーク管理装置３０は、品質統計記憶部３００、セルペア検出部３０１及び無線パラメータ調整部３０２を備える。ネットワーク管理装置３０は、基地局１０Ａ及び基地局１０Ｂと周知の通信インタフェースを介して互いに情報の送受信が可能な構成である。
【０１０７】
品質統計記憶部３００は、ソース基地局１０Ａから報告される無線品質の統計情報を保存すると共に、該統計情報をセルペア検出部３０１に出力する。
【０１０８】
セルペア検出部３０１は、無線品質の統計情報に基づき無線品質が急激に劣化しているセルペアを検出し、その検出結果を無線パラメータ調整部３０２に出力する。
【０１０９】
無線パラメータ調整部３０２は、セルペア検出部３０１で検出されたセルペアにて調整する無線パラメータを決定し、該無線パラメータの変更指示をソース基地局１０Ａに送信する。
【０１１０】
図１０に示す基地局１０Ａが備える測定報告設定部１００Ａ、通信品質記憶部１０１Ａ、ハンドオーバ処理部１０２Ａ及び無線パラメータ制御部１０３Ａは、例えばメモリ、各種の論理回路、制御プログラムにしたがって所定の処理を実行するＣＰＵ等を備えた情報処理装置（コンピュータ）によって実現できる。ＣＰＵは、制御プログラムにしたがって処理を実行することで測定報告設定部１００Ａ、通信品質記憶部１０１Ａ及び無線パラメータ制御部１０３Ａの機能を実現する。図１０に示す基地局１０Ｂが備える測定報告設定部１００Ｂ、通信品質記憶部１０１Ｂ、ハンドオーバ処理部１０２Ｂ及び無線パラメータ制御部１０３Ｂも同様である。
【０１１１】
また、図１０に示すネットワーク管理装置３０が備える品質統計記憶部３００、セルペア検出部３０１及び無線パラメータ調整部３０２も、例えばメモリ、各種の論理回路、制御プログラムにしたがって所定の処理を実行するＣＰＵ等を備えた情報処理装置（コンピュータ）によって実現できる。
【０１１２】
図１１は、第３の実施の形態の無線通信システムの動作の一例を示すシーケンス図である。
【０１１３】
図１１に示すステップＳ１００〜Ｓ１０２の処理は、図５で示した第１の実施の形態のステップＳ１００〜Ｓ１０２の処理と同様であるため、ここではその説明を省略する。但し、第３の実施の形態では、測定報告を統計処理するため、ステップＳ１０２において、ソース基地局１０Ａは複数の移動局２０からの測定報告を受信する必要がある。
【０１１４】
第３の実施の形態の無線通信システムでは、第１の実施の形態と同様に、測定報告を送信すべき２種類の報告条件を設定する。第１の報告条件（Ｃｏｎｆｉｇ１）は、イベントＡ３で用いるパラメータを、例えば３ＧＰＰ技術仕様書（非特許文献３）で規定された、ハンドオーバの評価に用いる一般的な値に設定する。また、第２の報告条件（Ｃｏｎｆｉｇ２）は、イベントＡ３で用いるパラメータを、無線品質（ＲＳＲＰ）の大きな劣化を検出できる値に設定する。
【０１１５】
ソース基地局１０Ａは、複数の移動局２０から測定報告を受信すると、それらを集計して無線品質の統計情報を生成する（ステップＳ３００）。無線品質の統計情報は、第１の報告条件（Ｃｏｎｆｉｇ１）または第２の報告条件（Ｃｏｎｆｉｇ２）に基づいて送信される、予め設定された所定の期間内に受信したそれぞれの測定報告数である。
【０１１６】
次に、ソース基地局１０Ａは、ステップＳ３００で生成した無線品質の統計情報をネットワーク管理装置３０に通知する（ステップＳ３０１）。このとき、ソース基地局１０Ａは、統計情報を予め設定された所定の周期毎にネットワーク管理装置３０へ通知する。
【０１１７】
ネットワーク管理装置３０は、ソース基地局１０Ａから通知された統計情報に基づき、無線品質が急激に劣化しているセルペアを検出する（ステップＳ３０２）。本実施形態では、第１及び第２の報告条件に基づく測定報告の受信数をセルペア毎に集計する。そして、測定報告の総受信数に対する第２の報告条件に基づく測定報告の発生確率が高いセルペアを、無線品質が急激に劣化しているセルペアとして検出する。
【０１１８】
無線品質が急激に劣化しているセルペアであるか否かは以下の式（５）を満たすか否かで判定する。
【０１１９】
Ｐｍ，ｎ＞Ｐｔｈ…（５）
ここで、Ｐｍ，ｎは、セル＃ｍとセル＃ｎのセルペアにおいて、第２の報告条件を満たすことで送信される測定報告の発生確率であり、Ｐｔｈは検出閾値である。すなわち、第２の報告条件に基づく測定報告の発生確率が検出閾値Ｐｔｈよりも大きい場合、無線品質が急激に劣化していると判定する。
【０１２０】
図１２は、第３の実施の形態のネットワーク管理装置で保存される統計情報の一例を示すグラフである。
【０１２１】
図１２に示すように、本実施形態の統計情報には、セルペア毎の測定報告回数（総測定報告回数）、第１の報告条件（Ｃｏｎｆｉｇ１）に基づく測定報告回数、第２の報告条件（Ｃｏｎｆｉｇ２）に基づく測定報告回数が含まれる。イベントＡ３に基づく測定報告では、ソースセルとセルペアを形成する隣接セル毎の無線品質がそれぞれ報告されるため、測定報告回数をセルペア毎に集計して保存する。
【０１２２】
ここで、検出閾値Ｐｔｈを５０％とすると、図１２に示す例では、セル＃０（ソースセル）とセル＃１のセルペアにおける第２の報告条件に基づく測定報告の発生確率が６０／１００×１００＝６０％であり、上記式（５）で示す条件を満たしている。上述したように、第２の報告条件ではイベントＡ３で用いるパラメータを無線品質（ＲＳＲＰ）の大きな劣化を検出できる値に設定する。そのため、図１２に示す例では、ソースセル（セル＃０）に接続された多くの移動局２０で無線品質が急激に劣化していることが分かる。
【０１２３】
次に、ネットワーク管理装置３０は、検出したセルペアのソースセルを管理するソース基地局１０Ａの調整後の送信電力を決定する（ステップＳ３０３）。具体的には、ソース基地局１０Ａの送信電力を予め設定された所定の調整単位であるステップサイズだけ増加させる。ここではステップサイズを、例えば１ｄＢとする。ステップサイズの値はその他の値でもよい。
【０１２４】
第３の実施の形態では、図１１に示したステップＳ３００〜Ｓ３０５の処理を繰り返し実行することで、ソース基地局１０Ａの送信電力を最適な値に設定する。
【０１２５】
以下では、ソース基地局１０Ａの送信電力を増加させる理由について説明する。
【０１２６】
移動局２０において上記第２の報告条件を満たす場合、該移動局２０と接続するソースセルの無線品質がターゲットセルの無線品質と比べて大きく劣化している状態である。すなわち、ソースセルの無線品質（ＲＳＲＱ）の劣化により無線リンク障害（ＲＬＦ：Radio Link Failure）が発生し、ハンドオーバ失敗（Too Late Handover）が発生すると考えられる。
【０１２７】
そこで、ソース基地局１０Ａの送信電力を増加させることでソースセルの無線品質（ＲＳＲＱ）を向上させる。ソース基地局１０Ａの送信電力は、例えば移動局２０でＲＬＦが発生しないレベルまで増加させればよい。ソース基地局１０Ａの送信電力を増加させると、ソースセルとターゲットセルの無線品質の差が小さくなるため、第２の報告条件を満たす回数が低減する。
【０１２８】
なお、上記説明ではソース基地局１０Ａの送信電力を増加させて移動局２０でＲＬＦを発生させない例を示したが、ターゲットセルを管理するターゲット基地局１０Ｂの送信電力を下げることで、移動局２０でＲＬＦが発生しないようにしてもよい。このターゲット基地局１０Ｂの送信電力を下げる処理をソース基地局１０Ａの送信電力を増加させる処理と併用すれば、セルペアを形成する２つのセルのうち、所望のセルを管理する基地局１０の送信電力を制御できる。
【０１２９】
例えば、ピコセルとフェムトセルのように、セルペアを形成する２つのセルの大きさ（カバレッジ）が異なる場合、カバレッジが小さいセルの送信電力を変更することが望ましい。その理由は、カバレッジが小さいセルの方が該セルと接続する移動局数が少ないため、該セルペアを利用する全移動局３０に与える影響が少ないと考えられるからである。上述したソース基地局１０Ａの送信電力を増加させる処理とターゲット基地局１０Ｂの送信電力を下げる処理とを併用すれば、送信電力を調整するセルとしてカバレッジが小さい方のセルを選択できる。
【０１３０】
また、上記説明では、ソース基地局１０Ａまたはターゲット基地局１０Ｂの送信電力を調整する例を示したが、上述したように調整する無線パラメータは、例えばアンテナチルト角や判定タイマ（Ｔ３１０）等でもよい。
【０１３１】
アンテナチルト角を調整する場合は、送信電力の増加に代えてアンテナをアップチルトさせ（主放射面を天空方向へ向けて電波の放射領域を拡大させる）、送信電力の低下に代えてアンテナをダウンチルトさせ（主放射面を地上方向へ向けて電波の放射領域を縮小させる）ればよい。送信電力を調整する場合と同様に、図１１に示したステップＳ３００〜Ｓ３０５の処理を繰り返し実行することで、基地局１０のアンテナチルト角を最適な値に設定する。
【０１３２】
また、判定タイマ（Ｔ３１０）を調整する場合は、送信電力の増加や低下に代えて判定タイマ（Ｔ３１０）の値を小さくしてハンドオーバ失敗時の再接続時間を短縮することで、再接続処理を早く実施させればよい。上記説明では、ソース基地局１０Ａまたはターゲット基地局１０Ｂの送信電力、アンテナチルト角または判定タイマ（Ｔ３１０）のいずれか１つを調整する例を示したが、これらの無線パラメータは２つ以上組み合わせて調整してもよい。このように複数の無線パラメータを組み合わせて調整すれば、それぞれの調整量が少なくて済む。
【０１３３】
さらに、上記説明では、ソース基地局１０Ａまたはターゲット基地局１０Ｂのいずれか一方の無線パラメータを調整する例を示したが、ソース基地局１０Ａ及びターゲット基地局１０Ｂの両方の無線パラメータを調整してもよい。例えば、ソース基地局１０Ａの送信電力を増加させると共に、ターゲット基地局１０Ｂの送信電力を下げれば、それぞれの調整量が少なくて済む。
【０１３４】
ネットワーク管理装置３０は、調整後の無線パラメータの値（ここではソース基地局の送信電力）を決定すると、該調整後の無線パラメータの値を含む無線パラメータ情報をソース基地局１０Ａに通知する（ステップＳ３０４）。ソース基地局１０Ａは、通知された無線パラメータ情報にしたがって、例えば送信電力を変更する（ステップＳ３０５）。
【０１３５】
なお、ステップＳ３０２の処理でセルペアが検出されない場合、ネットワーク管理装置３０は、無線品質が急激に劣化しているセルペアが存在しないと判定してステップＳ３０３及びＳ３０４の処理を省略する。その場合、ソース基地局１０ＡではステップＳ３０５の処理が省略される。
【０１３６】
第３の実施の形態によれば、各移動局２０から報告される無線品質の統計情報を用いて無線品質が急激に劣化しているセルペアを検出し、検出したセルペアの無線パラメータを調整することで、ソースセルとターゲットセル間の無線品質の差を小さくできる。そのため、移動局２０におけるＲＬＦの発生確率が低減し、当該セルペアの平均的なハンドオーバ失敗率が低減される。したがって、ハンドオーバに伴う通信の瞬断時間を低減できる。
【０１３７】
なお、上述した第３の実施の形態で示した処理は、第１及び第２の実施の形態で示した処理と併用してもよい。例えば、第１の実施の形態または第２の実施の形態で示した処理を実行し、所要のハンドオーバ失敗率が達成できない場合に第３の実施の形態で示した処理を実行すれば、ハンドオーバに伴う通信の瞬断時間をさらに低減できる。
【０１３８】
なお、第３の実施の形態では、各基地局１０が、測定報告設定部、通信品質記憶部、ハンドオーバ処理部及び無線パラメータ制御部をそれぞれ備え、ネットワーク管理装置３０が品質統計記憶部、セルペア検出部及び無線パラメータ調整部を備える構成例を示したが、本発明の目的（ハンドオーバに伴う通信の瞬断時間の低減に寄与する）は、各基地局１０が測定報告設定部及び通信品質記憶部を備え、ネットワーク管理装置３０がセルペア検出部を備えていれば達成することが可能である。すなわち、各基地局１０が測定報告設定部及び通信品質記憶部を備え、ネットワーク管理装置３０がセルペア検出部を備えていれば、作用・効果が生じて本発明の課題を解決することができる。
（第４の実施の形態）
上述した第３の実施の形態では、２種類の報告条件に基づく測定報告の発生確率を用いて無線品質の急激な劣化が発生するセルペアを検出する例を示した。第４の実施の形態では、報告条件を１種類とし、測定報告に含まれるＲＳＲＱが予め設定された所定値よりも低下する確率を用いて無線品質が急激に劣化しているセルペアを検出する。無線通信システムの構成は第３の実施の形態と同様であるため、ここではその説明を省略する。
【０１３９】
図１３は、第４の実施の形態の無線通信システムの動作の一例を示すシーケンス図である。
【０１４０】
図１３に示すように、ソース基地局１０Ａは、まずソースセル内の全ての移動局２０に設定する報告条件を決定する（ステップＳ２００）。ここでは第２の実施の形態と同様に、無線品質が急激に劣化する前に移動局２０から測定報告が送信されるように、オフセットパラメータＯｆｆ及びＴＴＴを、上記第１の報告条件として示した一般的な値よりも小さい値に設定する。
【０１４１】
次に、ソース基地局１０Ａは、ステップＳ２００で決定した報告条件を自局が管理する全ての移動局２０に通知する（ステップＳ２０１）。移動局２０は、ソース基地局１０Ａから通知された報告条件を満たすとき、ソース基地局１０Ａへ測定報告を送信する（ステップＳ２０２）。
【０１４２】
ソース基地局１０Ａは、複数の移動局２０から測定報告を受信すると、それらを集計して無線品質の統計情報を生成する（ステップＳ４００）。無線品質の統計情報には、測定報告の報告回数及び報告されたＲＳＲＱが所要品質（ＲＬＦの判定閾値）よりも低下している回数が含まれる。このとき、ソース基地局１０Ａは、第２の実施の形態と同様に、移動局２０に設定する報告条件を、イベント報告を契機に周期報告条件に変更してもよい。
【０１４３】
次に、ソース基地局１０Ａは、ステップＳ４００で生成した無線品質の統計情報をネットワーク管理装置３０へ通知する（ステップＳ４０１）。このとき、ソース基地局１０Ａは、統計情報を予め設定された所定の周期毎にネットワーク管理装置３０へ通知する。
【０１４４】
ネットワーク管理装置３０は、ソース基地局１０Ａから報告された集計結果に基づき、無線品質が急激に劣化しているセルペアを検出する（ステップＳ４０２）。
【０１４５】
無線品質が急激に劣化しているセルペアであるか否かは以下の式（６）を満たすか否かで判定する。
【０１４６】
Ｑｍ，ｎ＞Ｑｔｈ…（６）
ここで、Ｑｍ，ｎは、セル＃ｍとセル＃ｎのセルペアにおいて、ＲＳＲＱが予め設定された所定品質よりも低下する確率であり、Ｑｔｈは検出閾値である。すなわち、ＲＳＲＱが所定値よりも低下する確率が検出閾値Ｑｔｈよりも大きい場合、無線品質が急激に劣化していると判定する。
【０１４７】
図１４は、第４の実施の形態のネットワーク管理装置で保存される無線品質の統計情報の一例を示すグラフである。
【０１４８】
図１４に示すように、本実施形態の統計情報には、各セルペアの測定報告回数、報告されたＲＳＲＱが所要品質（ＲＬＦの判定閾値）よりも低下した回数が含まれる。
【０１４９】
ここで、検出閾値Ｑｔｈを３０％とすると、図１４に示す例では、セル＃０（ソースセル）とセル＃１のセルペアのＲＳＲＱが所要品質よりも低下する確率が４０／１００×１００＝４０％であり、上記式（６）で示す条件を満たしている。したがって、ネットワーク管理装置３０は、セル＃０とセル＃１のセルペアを無線品質が急激に劣化しているセルペアとして検出する。
【０１５０】
以降、ネットワーク管理装置３０は、第３の実施の形態と同様に、検出したセルペアのソースセルを管理するソース基地局１０Ａの調整後の送信電力を決定し（ステップＳ３０３）、該調整後の無線パラメータの値を含む無線パラメータ情報をソース基地局１０Ａに通知する（ステップＳ３０４）。ソース基地局１０Ａは通知された無線パラメータ情報にしたがって送信電力を変更する（ステップＳ３０５）。
【０１５１】
第４の実施の形態によれば、移動局２０に設定する報告条件が１種類であるため、ソース基地局１０Ａから移動局２０へ通知する報告条件に要するシグナリング量を第３の実施の形態よりも低減できる。
【０１５２】
なお、上述した第４の実施の形態で示した処理は、第１及び第２の実施の形態で示した処理と併用してもよい。例えば、第１の実施の形態または第２の実施の形態で示した処理を実行し、所要のハンドオーバ失敗率が達成できない場合に第４の実施の形態で示した処理を実行することで、ハンドオーバに伴う通信の瞬断時間をさらに低減できる。
【０１５３】
また、第４の実施の形態では、各基地局１０が、測定報告設定部、通信品質記憶部、ハンドオーバ処理部及び無線パラメータ制御部をそれぞれ備え、ネットワーク管理装置３０が品質統計記憶部、セルペア検出部及び無線パラメータ調整部を備える構成例を示したが、第３の実施の形態と同様に、本発明の目的（ハンドオーバに伴う通信の瞬断時間の低減に寄与する）は、各基地局１０が測定報告設定部及び通信品質記憶部を備え、ネットワーク管理装置３０がセルペア検出部を備えていれば達成することが可能である。すなわち、各基地局１０が測定報告設定部及び通信品質記憶部を備え、ネットワーク管理装置３０がセルペア検出部を備えていれば、作用・効果が生じて本発明の課題を解決することができる。
（第５の実施の形態）
上述した第３及び第４の実施の形態では、無線品質が急激に劣化しているセルペアのソースセルを管理するソース基地局の無線パラメータを変更することでハンドオーバ失敗を抑制して通信の瞬断時間を低減する方法を示した。第５の実施の形態では、ハンドオーバに伴う通信の瞬断時間を低減できるその他の方法について説明する。
【０１５４】
無線セルラシステムにおいて、Too Late Handoverによるハンドオーバ失敗が発生した場合、ターゲット基地局にはハンドオーバ対象である移動局の移動局情報が未だ転送されていない可能性がある。その場合、該移動局は、RRC Idle状態からRRC接続セットアップ（rrcConnectionSetup）処理を実行して該ターゲット基地局との接続を再度試行する必要がある。その結果、移動局ではハンドオーバ失敗後にターゲット基地局と接続するまでの時間が長くなってしまう。そこで、第５の実施の形態では、移動局と接続しているソース基地局からターゲット基地局へ予め該移動局の移動局情報を転送しておく。この場合、移動局２０は、ハンドオーバ失敗後にターゲット基地局との接続を再度試行すると、RRC Connectedの継続状態からターゲット基地局とRRC接続を再確立（rrcConnectionReestablishment）できる。そのため、ハンドオーバ失敗後にターゲット基地局と接続するまでの時間が短縮され、ハンドオーバに伴う通信の瞬断時間が低減される。無線通信システムの構成は第３の実施の形態と同様であるため、ここではその説明を省略する。
【０１５５】
図１５は、第５の実施の形態の基地局及びネットワーク管理装置の一構成例を示すブロック図である。
【０１５６】
図１５に示すように、第５の実施の形態のネットワーク管理装置３０は、品質統計記憶部３００及びセルペア検出部３０１を備える。基地局１０Ａは、測定報告設定部１００Ａ、通信品質記憶部１０１Ａ、ハンドオーバ処理部１０２Ａ及び移動局情報転送部１０４Ａを備えている。基地局１０Ｂは、測定報告設定部１００Ｂ、通信品質記憶部１０１Ｂ、ハンドオーバ処理部１０２Ｂ及び移動局情報転送部１０４Ｂを備えている。
【０１５７】
移動局情報転送部１０４Ａは、ネットワーク管理装置３０のセルペア検出部３０１から無線品質が急激に劣化しているセルペアが通知されると、該セルペアのターゲットセル１１Ｂを管理する基地局１０Ｂの移動局情報転送部１０４Ｂへ移動局情報を転送する。
【０１５８】
基地局１０Ａが備える測定報告設定部１００Ａ、通信品質記憶部１０１Ａ及びハンドオーバ処理部１０２、並びに基地局１０Ｂが備える測定報告設定部１００Ｂ、通信品質記憶部１０１Ｂ及びハンドオーバ処理部１０２Ｂの構成は、第３の実施の形態と同様であるため、ここではその説明を省略する。
【０１５９】
また、ネットワーク管理装置３０が備える品質統計記憶部３００及びセルペア検出部３０１の構成も、第３の実施の形態と同様であるため、ここではその説明を省略する。
【０１６０】
図１５に示す基地局１０Ａが備える測定報告設定部１００Ａ、通信品質記憶部１０１Ａ、ハンドオーバ処理部１０２Ａ及び移動局情報転送部１０４Ａは、例えばメモリ、各種の論理回路、制御プログラムにしたがって所定の処理を実行するＣＰＵ等を備えた情報処理装置（コンピュータ）によって実現できる。ＣＰＵは、制御プログラムにしたがって処理を実行することで測定報告設定部１００Ａ、通信品質記憶部１０１Ａ及び移動局情報転送部１０４Ａの機能を実現する。図１５に示す基地局１０Ｂが備える測定報告設定部１００Ｂ、通信品質記憶部１０１Ｂ、ハンドオーバ処理部１０２Ｂ及び移動局情報転送部１０４Ｂも同様である。
【０１６１】
また、図１５に示すネットワーク管理装置３０が備えるセルペア検出部３０１及び無線パラメータ調整部３０２も、例えばメモリ、各種の論理回路、制御プログラムにしたがって所定の処理を実行するＣＰＵ等を備えた情報処理装置（コンピュータ）によって実現できる。
【０１６２】
図１６は、第５の実施の形態の無線通信システムの動作の一例を示すシーケンス図である。なお、図１６に示す移動局Ａはソースセルに接続中の移動局２０であり、移動局Ｂは該ソースセルに新たに接続を開始する移動局である。
【０１６３】
図１６に示すステップＳ１００〜Ｓ１０２の処理は、図５で示した第１の実施の形態のステップＳ１００〜Ｓ１０２の処理と同様であるため、ここではその説明を省略する。但し、第５の実施の形態では、測定報告を統計処理するため、ステップＳ１０２において、ソース基地局１０Ａは複数の移動局２０からの測定報告を受信する必要がある。
【０１６４】
第５の実施の形態の無線通信システムでは、例えば第１の実施の形態と同様に、各移動局２に測定報告を送信すべき２種類の報告条件を設定する。
【０１６５】
ソース基地局１０Ａは、複数の移動局２０から測定報告を受信すると、それらを集計して無線品質の統計情報を生成する（ステップＳ３００）。無線品質の統計情報は、第１の報告条件（Ｃｏｎｆｉｇ１）または第２の報告条件（Ｃｏｎｆｉｇ２）を満たすことで送信される、予め設定された所定の期間内に受信したそれぞれの測定報告数である。
【０１６６】
次に、ソース基地局１０Ａは、ステップＳ３００で生成した無線品質の統計情報をネットワーク管理装置３０に通知する（ステップＳ３０１）。このとき、ソース基地局１０Ａは、統計情報を予め設定された所定の周期毎にネットワーク管理装置３０へ通知する。
【０１６７】
ネットワーク管理装置３０は、ソース基地局１０Ａから通知された統計情報から無線品質が急激に劣化しているセルペアを検出する（ステップＳ３０２）。
【０１６８】
なお、図１６に示すステップＳ１０１〜Ｓ１０２及びＳ３０１〜Ｓ３０２の処理は、第４の実施の形態で示したステップＳ２０１〜Ｓ２０２及びＳ４０１〜Ｓ４０２の処理に置き換えてもよい。
【０１６９】
次に、ネットワーク管理装置３０は、ステップＳ３０２で検出したセルペアの情報をソース基地局１０Ａへ通知する（ステップＳ５００）。ソース基地局１０Ａへ通知するセルペアの情報とは、ソースセルとセルペアとなるターゲットセルのＰＣＩ（Physical Cell ID）である。
【０１７０】
ターゲットセルのＰＣＩが通知されたソース基地局１０Ａは、該ターゲットセルを管理するターゲット基地局１０Ｂへ移動局Ａの移動局情報を転送する（ステップＳ５０１）。このとき移動局Ａの他にソースセルと接続している移動局（不図示）がある場合は、それらの移動局情報も併せてターゲット基地局１０Ｂへ転送する。なお、移動局情報を転送する移動局２０は制限してもよい。例えば、測定報告に基づき無線品質が予め設定された所定値よりも低下している移動局２０の移動局情報のみをターゲット基地局１０Ｂへ転送することが考えられる。
【０１７１】
以下、移動局Ａの無線品質（ＲＳＲＱ）が急激に劣化し、該移動局Ａでソース基地局１０Ａへ測定報告を送信する前にＲＬＦが検出された場合の処理について説明する。
【０１７２】
移動局Ａは、ソースセルの無線品質（ＲＳＲＱ）が急激に劣化してＲＬＦを検出し（ステップＳ５０２）、ハンドオーバ失敗（Too Late Handover）が発生すると、無線品質が最良のセルに対する接続を試みる。ここでは、Too Late Handoverが発生し、ソースセルではなくターゲットセルの無線品質が最良であるため、移動局Ａはターゲット基地局１０ＢへRRC接続の再確立要求（rrcConnectionReestablishmentRequest）を送信する（ステップＳ５０３）。
【０１７３】
ターゲット基地局１０Ｂは、ステップＳ５０１でソース基地局１０Ａから移動局Ａの移動局情報が転送されているため、移動局ＡとRRC接続の再確立が可能である。したがって、ターゲット基地局１０Ｂは、移動局Ａに再確立通知（rrcConnectionReestablishment）を送信する（ステップＳ５０４）。移動局Ａは、ターゲット基地局１０ＢとのRRC接続の再確立が完了すると、該ターゲット基地局１０Ｂへ再確立完了通知（rrcConnectionReestablishmentComplete）を送信する（ステップＳ５０５）。
【０１７４】
以下、ステップＳ５０５以降で移動局Ｂがソースセルと接続を開始し、その後、ＲＳＲＱが急激に劣化してソース基地局１０Ａへ測定報告を送信する前にＲＬＦが検出された場合の処理について説明する。
【０１７５】
移動局Ｂは、新たに通信を開始するためソース基地局１０ＡへRRC接続セットアップ要求（rrcConnectionSetupRequest）を送信すると（ステップＳ５０６）、ソース基地局１０Ａは移動局ＢにRRC接続セットアップ通知（rrcConnectionSetup）を返信する（ステップＳ５０７）。その後、移動局Ｂはソース基地局１０ＡにRRC接続セットアップ完了通知（rrcConnectionSetupComplete）を送信して該ソース基地局１０Ａとの通信を開始する（ステップＳ５０８）。ソース基地局１０Ａは、移動局Ｂと接続されると、該移動局Ｂの移動局情報をステップＳ５００で報告されたセルペアのターゲット基地局１０Ｂへ転送する（ステップＳ５０９）。
【０１７６】
移動局ＢでＲＳＲＱが急激に劣化することでＲＬＦが検出され（ステップＳ５１０）、ハンドオーバ失敗（Too Late Handover）が発生すると、移動局Ｂは無線品質が最良のセルに対する接続を試みる。ここでは、Too Late Handoverが発生し、ソースセルではなくターゲットセルの無線品質が最良であるため、移動局Ｂは該ターゲットセルを管理するターゲット基地局１０ＢへRRC接続の再確立要求（rrcConnectionReestablishmentRequest）を送信する（ステップＳ５１１）。
【０１７７】
ターゲット基地局１０Ｂは、ステップＳ５０９で移動局Ｂの移動局情報がソース基地局１０Ａから既に転送されているため、移動局ＢとRRC接続の再確立が可能である。したがって、ターゲット基地局１０Ｂは、移動局Ｂへ再確立通知（rrcConnectionReestablishment）を送信する（ステップＳ５１４）。移動局Ｂは、ターゲット基地局１０ＢとのRRC接続の再確立が完了すると、該ターゲット基地局１０Ｂへ再確立完了通知（rrcConnectionReestablishmentComplete）を送信する（ステップＳ５１３）。
【０１７８】
第５の実施の形態によれば、ハンドオーバに必要な移動局情報を予めソース基地局からターゲット基地局に転送しておくため、ハンドオーバ失敗（Too Late Handover）の発生時、移動局２０はRRC Idle状態からRRC接続セットアップ（rrcConnectionSetup）処理を実行して該ターゲット基地局と接続する必要がない。移動局２０は、ハンドオーバ失敗後にターゲット基地局と接続するとき、RRC Connectedの継続状態からターゲット基地局とRRC接続を再確立できる。その結果、ハンドオーバ失敗後の再接続に要する時間が短縮されるため、ハンドオーバに伴う通信の瞬断時間を低減できる。
【０１７９】
なお、上述した第５の実施の形態で示した処理は、第１及び第２の実施の形態で示した処理と併用してもよい。または、上述した第５の実施の形態の処理は、第３の実施の形態または第４の実施の形態と第５の実施の形態は併用してもよい。例えば、第１の実施の形態または第２の実施の形態で示した処理を実行し、所要のハンドオーバ失敗率が達成できない場合に第５の実施の形態で示した処理を実行することで、ハンドオーバに伴う通信の瞬断時間をさらに低減できる。
【０１８０】
また、上述した第１〜第５の実施の形態で示した処理は、ハンドオーバ・パラメータを動的に調整する背景技術と併用してもよい。例えば、背景技術で示したハンドオーバ・パラメータであるＣＩＯを調整しても所要のハンドオーバ失敗率が達成できない場合に、上述した第１〜第５の実施の形態で示した方法を実行すればよい。
【０１８１】
上述した第１〜第５の実施の形態で示した方法は、屋外セルと屋内セルが混在する通信環境で実施すると、無線品質が急激に変化する場合が多いため、より効果が期待できる。
【０１８２】
また、セルサイズ（マクロセル、フェムトセルなど）が異なるセルが混在する通信環境であっても本願発明の効果が期待できる。これは、一般的に屋外にはサイズの大きいマクロセルを設置し、屋内にはサイズに小さいフェムトセルを設置することが多いためである。
【０１８３】
さらに、上述した第１〜第５の実施の形態では、同一の無線アクセス技術（ＲＡＴ：Radio Access Technology）において、同じ周波数帯を利用するセル間のハンドオーバを例にして説明したが、本発明は、それに限らず、異なる無線アクセス技術間のハンドオーバや異なる周波数帯間のハンドオーバにも適用できる。
【０１８４】
以上、実施形態を参照して本願発明を説明したが、本願発明は上記実施形態に限定されものではない。本願発明の構成や詳細は本願発明のスコープ内で当業者が理解し得る様々な変更が可能である。
【０１８５】
この出願は、２０１３年１１月２６日に出願された特願２０１３−２４４００１号を基礎とする優先権を主張し、その開示の全てをここに取り込む。
【図１】
2015079729.tif 000003
【図２】
2015079729.tif 000004
【図３】
2015079729.tif 000005
【図４】
2015079729.tif 000006
【図５】
2015079729.tif 000007
【図６】
2015079729.tif 000008
【図７】
2015079729.tif 000009
【図８】
2015079729.tif 000010
【図９】
2015079729.tif 000011
【図１０】
2015079729.tif 000012
【図１１】
2015079729.tif 000013
【図１２】
2015079729.tif 000014
【図１３】
2015079729.tif 000015
【図１４】
2015079729.tif 000016
【図１５】
2015079729.tif 000017
【図１６】
2015079729.tif 000018
【国際調査報告】
2015079729.tif 000019
2015079729.tif 000020
2015079729.tif 000021